(57)【要約】無線通信システムにおける干渉管理およびデルタベースのパワー制御についての調節を実行するための技術を提供するシステムおよび方法が説明されている。端末は、あらかじめ決定されたサイレンスの期間の後あるいは隣接のアクセスポイントから干渉の表示を受信した後、逆方向リンク伝送に従事する際に、ここに説明された、１つまたは複数のデルタベースのパワー制御技術を利用することができる。デルタ値は、開ループ予測を通じてコンピュートされることができ、それは、端末によって引き起こされた干渉を管理するために増大あるいは減少されることができる、帯域幅および／または伝送パワーのような伝送リソースに基づいている。デルタ値、端末からの他のフィードバック、および／または、端末によって引き起こされた干渉の表示は、また、アクセスポイントが端末についての伝送リソースを割り当てることを可能にするために、サービングアクセスポイントに対するフィードバックとして通信されることができる。
2010503341.tif 000002
【特許請求の範囲】
【請求項１】
無線通信システムにおけるパワー制御のための方法であって、
あらかじめ決定されたスレッシュホールドの前に、前の伝送が生じたかどうか決定することと、
開ループデルタ値、割り当てられた帯域幅に基づいた開ループデルタ値、および、デルタ値に基づいた帯域幅、のうちの１つまたは複数をコンピュートすることと、
前記のコンピュートされた値に少なくとも部分的に基づいて、今後の伝送に使用される予定である１つまたは複数のパラメータを調節することと、
を備えている方法。
【請求項２】
前記のスレッシュホールドは、いくつかのフレーム、いくつかのスーパーフレーム、および、時間の期間、から成るグループ、から選択された少なくとも１つのパラメータに基づいている、請求項１に記載の方法。
【請求項３】
前記の今後の伝送に使用される予定である１つまたは複数のパラメータを調節することは、今後の伝送に使用される予定である伝送パワーオフセットを調節することを含んでいる、請求項１に記載の方法。
【請求項４】
前記の今後の伝送に使用される予定である１つまたは複数のパラメータを調節することは、今後の伝送に利用される帯域幅を調節することを含んでいる、請求項１に記載の方法。
【請求項５】
前記の今後の伝送に使用される予定である１つまたは複数のパラメータを調節することは、
コンピュートされた開ループデルタ値の機能として、パワースペクトル密度（ＰＳＤ）を調節することと、
前記の調節されたＰＳＤに基づいて、今後の伝送に使用される予定である伝送パワーを調節することと、
を含んでいる、
請求項１に記載の方法。
【請求項６】
前記の今後の伝送に使用される予定である１つまたは複数のパラメータを調節することは、
前記前の伝送に対応する他のセクタ干渉（ＯＳＩ）表示が受信されたかどうかを決定することと、
ＯＳＩ表示が受信されたかどうかに少なくとも部分的に基づいて、今後の伝送に使用される予定である１つまたは複数のパラメータを調節することと、
を含んでいる、
請求項１に記載の方法。
【請求項７】
前記の今後の伝送に使用される予定である１つまたは複数のパラメータを調節することは、
前記前の伝送に対応するＯＳＩ表示が受信されたということを決定することと、
ＯＳＩ表示を引き起こした、あらかじめ決定された時間の期間内で使用される最小の伝送パワーを選択することと、
前記の選択された伝送パワーからデルタ値を引いたものに、今後の伝送に使用される予定である伝送パワーを調節することと、
を含んでいる、
請求項６に記載の方法。
【請求項８】
前記の今後の伝送に使用される予定である１つまたは複数のパラメータを調節することは、
前記前の伝送に対応するＯＳＩ表示が受信されていないということを決定することと、
ＯＳＩ表示を引き起こさなかった、あらかじめ決定された時間の期間内で使用される最大の伝送パワーを選択することと、
前記の選択された伝送パワーからデルタ値を足したものに、今後の伝送に使用される予定である伝送パワーを調節することと、
を含んでいる、
請求項６に記載の方法。
【請求項９】
前記の今後の伝送に使用される予定である１つまたは複数のパラメータを調節することは、
アクセスポイントから、前記今後の伝送に使用される予定である１つまたは複数のパラメータについての割り当てを受信することと、
前記割り当てに基づいて、前記１つまたは複数のパラメータを調節することと、
を含んでいる、
請求項１に記載の方法。
【請求項１０】
アクセスポイントに対して、前記の調節されたパラメータと前記のコンピュートされた値のうちの１つまたは複数を通信すること、をさらに備えている請求項１に記載の方法。
【請求項１１】
スレッシュホールドと前の伝送が行なわれた時間に関するデータを保存するメモリと、
前記前の伝送が前記スレッシュホールドよりも早く生じたかどうかを決定するように、そして、肯定的な決定の際には、開ループデルタ値、割り当てられた帯域幅に基づいたオープンデルタ値、デルタ値に基づいた帯域幅、のうちの１つまたは複数をコンピュートするように、そして、前記のコンピュートされた値に基づいて、伝送に使用される予定であるパラメータを調節するように、構成されたプロセッサと、
を備えている無線通信装置。
【請求項１２】
前記スレッシュホールドは、いくつかのフレーム、いくつかのスーパーフレーム、および時間期間、のうちの少なくとも１つに基づいている、請求項１１に記載の無線通信装置。
【請求項１３】
前記プロセッサは、前記のコンピュートされた値に基づいて、伝送に使用される予定である伝送パワーオフセットを調節するように、さらに構成されている、請求項１１に記載の無線通信装置。
【請求項１４】
前記プロセッサは、前記のコンピュートされた値に基づいて、伝送に利用される帯域幅を調節するように、さらに構成されている、請求項１１に記載の無線通信装置。
【請求項１５】
前記メモリは、伝送に使用される予定であるパラメータについての割り当てに関するデータをさらに保存しており、前記プロセッサは、前記割り当てに基づいて、前記パラメータを調節するようにさらに構成されている、請求項１１に記載の無線通信装置。
【請求項１６】
前記プロセッサは、伝送に使用される予定であるパラメータについての前記割り当てがコンピュートされた開ループ値に適合するかどうかを決定するように、さらに構成されている、請求項１５に記載の無線通信装置。
【請求項１７】
前記プロセッサは、前記割り当てが前記コンピュートされた開ループ値に適合しない場合には、伝送をサスペンドするように、あるいは、新しい開ループ値をコンピュートするように、さらに構成されている、請求項１６に記載の無線通信装置。
【請求項１８】
前記プロセッサは、アクセスポイントに対して、伝送についての前記の調節されたパラメータとコンピュートされた開ループ値のうちの１つまたは複数を通信するように、さらに構成されている、請求項１１に記載の無線通信装置。
【請求項１９】
無線通信システムにおける逆方向リンクパワー制御を容易にする装置であって、
逆方向リンク上でサービングセクタに対する伝送を行なうための手段と、
前記伝送がタイミングスレッシュホールド外で生じたかどうかを決定するための手段と、
肯定的な決定の際には、開ループデルタ値、開ループデルタ値、あるいは、デルタ値に基づいた帯域幅、をコンピュートするための手段と、
前記のコンピュートされた値に基づいて、前記サービングセクタに対する伝送を行なうために利用されるパラメータを調節するための手段のための手段と、
を備えている装置。
【請求項２０】
前記の調節するための手段は、前記サービングセクタに対する伝送を行なうために利用された帯域幅と伝送パワーオフセットのうちの１つまたは複数を調節するための手段を含んでいる、請求項１９に記載の装置。
【請求項２１】
前記の調節するための手段は、
前記のコンピュートされた値に基づいて、ＰＳＤを調節するための手段と、
前記の調節されたＰＳＤに基づいて、前記サービングセクタに対する伝送を行なうために利用された伝送パワーを調節するための手段と、
を含んでいる、
請求項１９に記載の装置。
【請求項２２】
前記の調節するための手段は、
前記サービングセクタから割り当てられたパラメータを受信するための手段と、
前記割り当てられたパラメータに基づいて、前記サービングセクタとの通信に利用されたパラメータを調節するための手段と、
を含んでいる、
請求項１９に記載の装置。
【請求項２３】
前記サービングセクタに対して、前記の調節されたパラメータと前記コンピュートされた値のうちの１つまたは複数を通信するための手段、をさらに備えている請求項１９に記載の装置。
【請求項２４】
あらかじめ決定されたタイミングスレッシュホールドの後で基地局に対する逆方向リンク伝送を、コンピュータに行なわせるためのコードと、
１つまたは複数の開ループデルタベースのパラメータを、コンピュータにコンピュートさせるためのコードと、
前記のコンピュートされた開ループデルタベースのパラメータに少なくとも部分的に基づいて、前記基地局に対する今後の伝送に使用される伝送パワーと帯域幅のうちの１つまたは複数を、コンピュータに調節させるためのコードと、
を備えているコンピュータ可読メディア。
【請求項２５】
前記コンピュータにコンピュートさせるためのコードは、開ループデルタ値、割り当てられた帯域幅に基づいた開ループデルタ値、およびデルタ値に基づいた帯域幅、のうちの１つまたは複数を、コンピュータにコンピュートさせるためのコードを含んでいる、請求項２４に記載のコンピュータ可読メディア。
【請求項２６】
前記のタイミングスレッシュホールドは、いくつかのフレーム、いくつかのスーパーフレーム、および、時間期間、から成るグループ、から選択された少なくとも１つのパラメータに対応している、請求項２４に記載のコンピュータ可読メディア。
【請求項２７】
前記コンピュータに調節させるためのコードは、
前記逆方向リンクに対応する他のセクタ干渉（ＯＳＩ）表示が受信されたどうかを、コンピュータに決定させるためのコードと、
前記の決定に少なくとも部分的に基づいて、前記基地局に対する今後の伝送に使用される前記伝送パワーと前記帯域幅のうちの１つまたは複数を、コンピュータに調節させるためのコードと、
を含んでいる、
請求項２４に記載のコンピュータ可読メディア。
【請求項２８】
前記基地局に対して、前記のコンピュートされた開ループデルタベースのパラメータ、調節された帯域幅、および、調節された伝送パワー、のうちの少なくとも１つを、コンピュータに通信させるためのコード、をさらに備えている請求項２４に記載のコンピュータ可読メディア。
【請求項２９】
無線通信システムにおける干渉管理および逆方向リンクパワー制御についてのコンピュータ実行可能インストラクションを実行する集積回路であって、
前記のインストラクションは、
サービングセクタに対して、逆方向リンク伝送を行なうことと、
前記逆方向リンク伝送に対応するＯＳＩ表示が受信されたかどうかを決定することと、
ＯＳＩ表示が受信されたかどうかに少なくとも部分的に基づいて、今後の逆方向リンク伝送に使用される予定である１つまたは複数のパラメータを調節することと、
を備えている、
集積回路。
【請求項３０】
前記調節することは、今後の逆方向リンク伝送に使用される予定である帯域幅と伝送パワーのうちの少なくとも１つまたは複数を調節することを含んでいる、請求項２９に記載の集積回路。
【請求項３１】
前記決定することは、前の伝送に対応するＯＳＩ表示が受信されたということを決定することを含んでおり、
前記調節することは、
ＯＳＩ表示を引き起こしたあらかじめ決定された時間の期間内で使用された最小の伝送パワーを選択することと、
前記の選択されたパワーからデルタ値を引いたものに、今後の逆方向リンク伝送に使用される予定である伝送パワーを調節することと、
を含んでいる、
請求項２９に記載の集積回路。
【請求項３２】
前記決定することは、前の伝送に対応するＯＳＩ表示は受信されていないということを決定することを含んでおり、前記調節することは、
ＯＳＩ表示を引き起こさなかったあらかじめ決定された時間の期間内で使用された最大の伝送パワーを選択することと、
前記の選択されたパワーにデルタ値を足したものに、今後の逆方向リンク伝送に使用される予定である伝送パワーを調節することと、
を含んでいる、
請求項２９に記載の集積回路。
【請求項３３】
無線通信システムにおいて逆方向リンクパワー制御を行なうための方法であって、
端末から、通信リクエストおよびパワー制御フィードバック情報のうちの１つまたは複数を受信することと、
前記端末によって引き起こされたＯＳＩアクティビティの報告を受信することと、
前記の受信された情報と前記の受信されたＯＳＩアクティビティの報告に基づいて、前記端末による通信に使用される予定であるパラメータを割り当てることと、
を備えている、
方法。
【請求項３４】
前記ＯＳＩアクティビティの報告を受信することは、前記端末から前記ＯＳＩアクティビティの報告を受信することを含んでいる、請求項３３に記載の方法。
【請求項３５】
前記ＯＳＩアクティビティの報告を受信することは、隣接のセクタから前記ＯＳＩのアクティビティの報告を受信することを含んでいる、請求項３３に記載の方法。
【請求項３６】
前記ＯＳＩアクティビティの報告を受信することは、前記端末によって引き起こされたＯＳＩアクティビティを示すパワーメトリックを受信することを含んでいる、請求項３３に記載の方法。
【請求項３７】
前記割り当てることは、前記端末による通信に使用される予定である帯域幅と伝送パワーのうちの１つまたは複数を割り当てることを含んでいる、請求項３３に記載の方法。
【請求項３８】
前記端末に対して、前記の割り当てられたパラメータを通信すること、をさらに備えている請求項３３に記載の方法。
【請求項３９】
アクセス端末によって引き起こされたＯＳＩアクティビティの報告と、前記アクセス端末から受信されたパワー制御フィードバック情報と、に関するデータを保存するメモリと、
前記のパワー制御フィードバックと前記ＯＳＩアクティビティの報告のうちの少なくとも１つに基づいて、伝送リソースについての割り当てを生成するように、また、前記アクセス端末に対して前記割り当てを通信するように、構成されたプロセッサと、
を備えている無線通信装置。
【請求項４０】
伝送リソースについての前記割り当ては、帯域幅と伝送パワーのうちの１つまたは複数についての割り当てを含んでいる、請求項３９に記載の無線通信装置。
【請求項４１】
無線通信システムにおける干渉管理および逆方向リンクパワー制御を容易にする装置であって、
無線端末に対応するＯＳＩ情報とパワー制御情報を受信するための手段と、
前記の受信された情報に少なくとも部分的に基づいて、前記無線端末に、帯域幅と伝送パワーのうちの１つまたは複数を割り当てるための手段と、
前記無線端末に対して、割り当てられた伝送パワーあるいは割り当てられた帯域幅を通信するための手段と、
を備えている装置。
【請求項４２】
アクセス端末によって引き起こされたＯＳＩアクティビティの報告を、コンピュータに受信させるためのコードと、
前記の受信された報告に少なくとも部分的に基づいて、前記端末によって利用される予定である帯域幅あるいは伝送パワーのうちの１つまたは複数についての割り当てを、コンピュータに生成させるためのコードと、
前記端末に対して、前記割り当てを、コンピュータに通信させるためのコードと、
を備えているコンピュータ可読メディア。
【請求項４３】
前記コンピュータに受信させるためのコードは、前記端末から前記ＯＳＩアクティビティの報告をコンピュータに受信させるためのコードを含んでいる、請求項４２に記載のコンピュータ可読メディア。
【請求項４４】
前記コンピュータに受信させるためのコードは、隣接のアクセスポイントから前記ＯＳＩアクティビティの報告をコンピュータに受信させるためのコードを含んでいる、請求項４２に記載のコンピュータ可読メディア。
【請求項４５】
前記コンピュータに受信させるためのコードは、前記端末によって引き起こされたＯＳＩアクティビティを示すパワーメトリックをコンピュータに受信させるためのコードを含んでいる、請求項４２に記載のコンピュータ可読メディア。
【請求項４６】
無線通信システムにおける逆方向リンクパワーおよび干渉制御についてのコンピュータ実行可能なインストラクションを実行する集積回路であって、
前記のインストラクションは、
端末からフィードバックを受信することと、なお、前記フィードバックは、前記端末によって受信されたＯＳＩ表示の報告を備えている；
前記の受信されたフィードバックに基づいて、前記端末に伝送リソースを割り当てることと；
前記端末に対して、前記の割り当てられた伝送リソースを通信することと；
を備えている、
集積回路。
【発明の詳細な説明】
【優先権主張】
【０００１】
本出願は、２００６年９月８日に出願された「無線通信システムにおける、デルタベースのパワー制御についての調節のための方法および装置(「METHODS AND APPARATUS FOR ADJUSTMENTS FOR DELTA-BASED POWER CONTROL IN WIRELESS COMMUNICATION SYSTEMS)」と題された仮特許出願第６０／８４３，３６５号と、２００６年１０月２４日に出願された「無線通信システムにおける、デルタベースのパワー制御についての調節のための方法および装置(「METHODS AND APPARATUS FOR ADJUSTMENTS FOR DELTA-BASED POWER CONTROL IN WIRELESS COMMUNICATION SYSTEMS)」と題された仮特許出願第６０／８６２，７６５号と、の優先権を主張しており、それらの全体は、参照によりここに組み込まれる。
【背景】
【０００２】
（分野）
本開示は、一般に無線通信に関しており、より詳細には、無線通信システムにおける、パワーおよび干渉制御についての技術(techniques for power and interference control)に関する。
【０００３】
（背景）
無線通信システムは、様々な通信サービスを提供するために、広く展開されており、例えば、音声、ビデオ、パケットデータ、ブロードキャストおよびメッセージングサービス(messaging services)が、そのような無線通信システムを介して、提供されることができる。これらのシステムは、利用可能なシステムリソースを共有することにより、複数の端末(multiple terminals)についての通信をサポートすることができる、多元接続システム(multiple-access systems)であってもよい。そのような多元接続システムの例は、符号分割多元接続(Code Division Multiple Access)（ＣＤＭＡ）システム、時分割多元接続(Time Division Multiple Access)（ＴＤＭＡ）システム、周波数分割多元接続(Frequency Division Multiple Access)（ＦＤＭＡ）システム、そして、直交周波数分割多元接続(Orthogonal Frequency Division Multiple Access)（ＯＦＤＭＡ）システムを含む。
【０００４】
無線多元接続通信システムは、複数の無線端末(multiple wireless terminals)についての通信を、同時にサポートすることができる。そのようなシステムでは、各端末は、順方向および逆方向リンク上の伝送を介して、1つまたは複数のセクタと通信することができる。順方向リンク(あるいはダウンリンク)は、セクタから端末までの通信リンクを指しており、また、逆方向リンク(あるいはアップリンク)は、端末からセクタまでの通信リンクを指している。
【０００５】
複数の端末は、時間、周波数および/またはコードドメインにおいて、互いに直交となるようにそれらの伝送を多重化すること(multiplexing)によって、逆方向リンク上で同時に送信することができる。伝送間の完全な直交(orthogonality)が達成される場合には、各端末からの伝送は、受信セクタ(a receiving sector)において、他の端末からの伝送に干渉を起こさないであろう(will not interfere with)。しかしながら、異なる端末からの伝送の中の完全な直交(complete orthogonality among transmissions from different terminals)は、チャネル条件(channel conditions)、受信機欠陥(receiver imperfections)、および他の要因により、しばしば実現されない。結果、端末は、同じセクタと通信している他の端末に対して、いくらかの量の干渉をしばしば引き起こす。さらに、異なるセクタと通信している端末からの伝送は、典型的には、互いに直交していないので、各端末はまた、近くのセクタと通信している端末に対して干渉を引き起こす可能性がある。この干渉は、システムにおける各端末でのパフォーマンス(performance)における低下を結果としてもらしている。したがって、無線通信システムにおける干渉の影響を緩和するために、効率的な技術に対して当技術分野において必要性がある。
【発明の概要】
【０００６】
以下は、そのような実施形態の基本的な理解を提供するために、開示された実施形態の簡略化された概要(summary)を示している。この概要は、すべての熟考された実施形態の広範囲な全体像でなく、重要なあるいは決定的な要素を識別することも、あるいは、そのような実施形態の範囲を描写することも、意図されていない。その唯一の目的は、後で示されるより詳細な説明の前置きとして、簡略化された形で、開示された実施形態のいくつかの概念を示すことである。
【０００７】
説明された実施形態は、無線通信システムにおける観察された干渉(observed interference)を管理するために、逆方向リンク伝送リソース(reverse link transmission resources)を制御するための技術を提供することによって上記の問題を緩和する。より具体的には、無線通信システムにおける端末は、１つまたは複数のデルタベースのパワー制御技術(delta-based power control techniques)を使用して、アクセスポイントとの逆方向リンク通信に使用されたリソースを調節する(adjust)ことができる。例えば、サイレンスのあらかじめ決定された期間(predetermined period of silence)の後あるいは隣接アクセスポイント(neighboring access points)から干渉の表示(indications)を受信した後、サービングアクセスポイント(serving access point)を用いて逆リンク上の伝送において従事するとき、ここに説明された１つまたは複数のデルタベースのパワー制御技術を端末は使用できる。端末は、開ループ予測(open-loop projection)を通じて、デルタ値を最初にコンピュートする(compute)ことができ、それは、端末によって引き起こされた干渉を管理するために増大あるいは減少されることができる、帯域幅および／または伝送パワー(transmit power)のような伝送リソースに基づいている。さらに、デルタ値、端末からの他のフィードバック、および／または、端末によって引き起こされた干渉の表示は、アクセスポイントが端末についての伝送リソースをさらに割り付けることを可能にするために、サービングアクセスポイントに対して、フィードバック(feedback)として通信されることができる。
【０００８】
一態様にしたがって、無線通信システムにおけるパワー制御(power control)のための方法がここに説明されている。方法は、前の伝送(a prior transmission)があらかじめ決定されたスレッシュホールド(predetermined threshold)の前に生じたかどうか決定すること、を備えることができる。さらに、方法は、開ループデータ値(open loop delta value)、割り当てられた帯域幅に基づいた開ループデルタ値(open loop delta value based on an assigned bandwidth)、およびデルタ値に基づいた帯域幅(bandwidth based on a delta value)、のうちの１つまたは複数をコンピュートすることを含むことができる。さらに、方法は、コンピュートされた値に少なくとも部分的に基づいて、今後の伝送に使用される予定である１つまたは複数のパラメータ(one or more parameters to be used for a future transmission)を調節すること、を備えることができる。
【０００９】
別の態様は、スレッシュホールドと前の伝送が行なわれた時間とに関するデータを保存するメモリを備えることができる無線通信装置(wireless communications apparatus)に関する。無線通信装置は、前の伝送がスレッシュホールドよりも早く生じたかどうかを決定するように、肯定的な決定の際に、開ループデルタ値、割り当てられた帯域幅に基づいた開ループデルタ値、デルタ値に基づいた帯域幅、のうちの１つまたは複数をコンピュートするように、また、コンピュートされた値に基づいて伝送のために使用される予定であるパラメータを調節するように、構成されたプロセッサをさらに含むことができる。
【００１０】
さらに、別の態様は、無線通信システムにおける逆方向リンクパワー制御(reverse link power control)を容易にする装置に関する。装置は、逆方向リンク上で、サービングセクタ(serving sector)に対して伝送を行なうための手段を備えることができる。さらに、装置は、伝送がタイミングスレッシュホールド外で(outside of a timing threshold)生じたかどうかを決定するための手段を備えることができる。さらに、装置は、肯定的な決定の際に、開ループデータ値、開ループデータ値、あるいは、デルタ値に基づいた帯域幅、をコンピュートするための手段を含むことができる。装置は、また、コンピュートされた値に基づいて、サービングセクタに対して伝送を行なうために利用されたパラメータを調節するための手段、のための手段を含むことができる。
【００１１】
さらに別の態様は、あらかじめ決定されたタイミングスレッシュホールドの後、基地局に対して逆方向リンク伝送をコンピュータに行わせるためのコード、を備えることができるコンピュータ可読メディア(computer-readable medium)に関する。コンピュータ可読メディアは、１つまたは複数の開ループデルタベースのパラメータをコンピュータにコンピュートさせるためのコード、をさらに含むことができる。さらに、コンピュータ可読メディアは、コンピュートされた開ループデルタベースのパラメータに少なくとも部分的に基づいて、基地局に対する今後の伝送に使用される伝送パワーおよび帯域幅のうちの１つまたは複数をコンピュータに調節させるためのコード、を含むことができる。
【００１２】
別の態様にしたがって、無線通信システムにおける逆方向リンクパワー制御および干渉管理についてのコンピュータ実行可能インストラクションを実行できる集積回路がここに説明されている。これらのインストラクションは、サービングセクタに対して逆方向リンク伝送を行なうことを備えることができる。さらに、インストラクションは、逆方向リンク伝送に対応するＯＳＩ表示(OSI indication)が受信されたかどうか決定することを備えることができる。さらに、インストラクションは、ＯＳＩ表示が受信されたかどうかに少なくとも部分的に基づいて、今後の逆方向リンク伝送に使用されるべきである１つまたは複数のパラメータを調節することを含むことができる。
【００１３】
さらに別の態様によれば、無線通信システムにおける逆方向リンクパワー制御を行なうための方法が、ここに説明されている。方法は、端末から通信のリクエスト(communication request)およびパワー制御フィードバック情報(power control feedback information)のうちの１つまたは複数を受信すること、を備えることができる。さらに、方法は、端末によって引き起こされたＯＳＩアクティビティの報告(a report of OSI activity)を受信することを含むことができる。さらに、方法は、受信された情報と、ＯＳＩアクティビティの受信された報告と、に基づいて、端末による通信に使用される予定であるパラメータを割り当てること、を備えることができる。
【００１４】
別の態様は、アクセス端末とアクセス端末から受信されたパワー制御フィードバックによってひきおこされたＯＳＩアクティビティの報告に関するデータを保存するメモリを備えることができる無線通信装置に関する。さらに、無線通信装置は、パワー制御フィードバックと、ＯＳＩアクティビティの報告と、のうちの少なくとも１つに基づいて、伝送リソースについての割り当てを生成するように、また、アクセス端末に対して割り当てを通信するように、構成されたプロセッサを備えることができる。
【００１５】
さらに、別の態様は、無線通信システムにおける逆方向リンクパワー制御および干渉管理を容易にする装置に関する。装置は、無線端末に対応するＯＳＩ情報およびパワー制御情報を受信するための手段を備えることができる。さらに、装置は、受信された情報に少なくとも部分的に基づいて、無線端末に、伝送パワーと帯域幅のうちの１つまたは複数を割り当てるための手段、を含むことができる。装置は、無線端末に対して、割り当てられた伝送パワーあるいは割り当てられた帯域幅を通信するための手段、をさらに含むことができる。
【００１６】
また、別の態様は、端末によって引き起こされたＯＳＩアクティビティの報告をコンピュータに受信させるためのコードを含むことができるコンピュータ可読メディアに関する。さらに、コンピュータ可読メディアは、受信された報告に少なくとも部分的に基づいて、端末によって使用されるべき帯域幅あるいは伝送パワーのうちの１つあるいは複数についての割り当てをコンピュータに生成させるためのコードを含むことができる。さらに、コンピュータ可読メディアは、端末に対して、割り当てをコンピュータに通信させるためのコードをさらに含むことができる。
【００１７】
ここに説明されたさらなる一態様は、無線通信システムにおける逆方向リンクパワーおよび干渉制御のためのコンピュータ実行可能なインストラクションを実行することができる集積回路に関する。これらのインストラクションは、端末からのフィードバックを受信することを備えることができ、フィードバックは、端末によって受信されたＯＳＩ表示の報告を備えている。さらに、インストラクションは、受信されたフィードバックに基づいて、端末に対して伝送リソースを割り当てることを備えることができる。さらに、インストラクションは、端末に、割り当てられた伝送リソースを通信することを含むことができる。
【００１８】
前述および関連する目的の実現のために、１つまたは複数の実施形態は、下記で十分に説明された特徴、特に、特許請求の範囲内で指摘された特徴、を備える。次の説明および添付図面は、開示された実施形態のある説明のための態様を詳細に示す。しかしながら、これらの態様は、様々な実施形態の原理が使用されることができる、ほんのいくつかの様々な方法を示している。さらに、開示された実施形態は、すべてのそのような態様およびそれらの同等物(equivalents)を含むように意図されている。
【図面の簡単な説明】
【００１９】
【図１】図１は、ここに示された様々な態様にしたがった、無線多元接続通信システムを図示している。
【図２Ａ】図２Ａは、様々な態様にしたがって、無線通信システムにおけるデルタベースのパワー制御のためのシステムの一例のオペレーションを図示する。
【図２Ｂ】図２Ｂは、様々な態様にしたがって、無線通信システムにおけるデルタベースのパワー制御のためのシステムの一例のオペレーションを図示する。
【図３Ａ】図３Ａは、様々な態様にしたがった、無線通信システムにおける逆方向リンクパワー制御および干渉管理についてのシステムの一例のオペレーションを図示する。
【図３Ｂ】図３Ｂは、様々な態様にしたがった、無線通信システムにおける逆方向リンクパワー制御および干渉管理についてのシステムの一例のオペレーションを図示する。
【図４】図４は、様々な態様にしたがった、逆方向リンク伝送タイムラインの一例を図示する。
【図５】図５は、無線通信システムにおける逆方向リンク伝送リソースを調節するための方法のフロー図である。
【図６】図６は、無線通信システムにおける干渉を低減するために逆方向リンク伝送リソースを調節するための方法のフロー図である。
【図７】図７は、無線通信システムにおける逆方向リンクパワー制御および干渉管理を行なうための方法のフロー図である。
【図８】図８は、ここに説明された１つまたは複数の実施形態が機能することができる、無線通信システムの一例を図示するブロック図である。
【図９】図９は、様々な態様にしたがった、逆方向リンクパワー制御を容易にするシステムのブロック図である。
【図１０】図１０は、様々な態様にしたがった、逆方向リンクパワー制御および干渉管理を調節する(coordinates)システムのブロック図である。
【図１１】図１１は、無線通信システムにおける初期伝送リソース調節を容易にする装置のブロック図である。
【図１２】図１２は、無線通信システムにおける干渉制御についての逆方向リンク伝送リソースを調節することを容易にする装置のブロック図である。
【図１３】図１３は、無線通信システムにおける逆方向リンクパワー制御および干渉管理を容易にする装置のブロック図である。
【詳細な説明】
【００２０】
様々な実施形態は、図面を参照して説明されており、ここで、同様の参照文字は、全体を通して、同様のエレメントを指すように使用される。以下の説明においては、説明の目的のために、非常に多くの具体的な詳細な説明が、１つまたは複数の態様の完全なる理解(thorough understanding)を提供するために記載されている。それは、明白かもしれないけれども、そのような実施形態は（単数または複数）、これらの具体的な詳細なしで実施されることができる。他の例において、よく知られたストラクチャおよびデバイスは、１つまたは複数の実施形態を説明することを容易にするために、ブロック図の形式で示されている。
【００２１】
本出願において使用されているように、用語「コンポーネント(component)」、「モジュール(module)」、「システム(system)」、および同様なものは、コンピュータ関連のエンティティ(entity)、ハードウェアか、ファームウェアか、ハードウェアとソフトウェアの組み合わせか、ソフトウェアか、あるいは実行中のソフトウェアか、を指すように意図されている。例えば、コンポーネントは、限定されてはいないが、プロセッサ上で実行しているプロセス、集積回路、プロセッサ、オブジェクト、実行ファイル(executable)、実行スレッド(thread of execution)、プログラム、および／またはコンピュータ、であってもよい。例として、コンピューティングデバイス上で実行しているアプリケーションと該コンピューティングデバイスの両方は、コンポーネントであってもよい。１つまたは複数のコンポーネントは、プロセスおよび／または実行スレッド内に存在(reside)することができ、また、コンポーネントは、１つのコンピュータ上に局在化されてもよいし、および／または２つ以上のコンピュータの間で分散され（distributed）てもよい。さらに、これらのコンポーネントは、そこに保存された様々なデータ構造を有している様々なコンピュータ可読メディアから実行することが出来る。コンポーネントは、ローカルな、および／または、遠隔のプロセスで、例えば、１つまたは複数のデータパケット（例、ローカルシステム、分散システムにおいて、および／または、信号を経由して他のシステムを備えたインターネットのような有線あるいは無線ネットワーク全体にわたって、別のコンポーネントと相互作用している１つのコンポーネントからのデータ）を有している信号に従って、通信することが出来る。
【００２２】
さらに、様々な実施形態は、無線端末および/または基地局に関連して、ここに説明されている。無線端末は、ユーザに音声および/またはデータ接続を提供するデバイスを指すことができる。無線端末は、ラップトップコンピュータあるいはデスクトップコンピュータのようなコンピューティングデバイスに接続されてもよいし、あるいは、それは、携帯情報端末(personal digital assistant)（ＰＤＡ）のような内蔵型デバイス(self contained device)であってもよい。無線端末はまた、システム、加入者ユニット、加入者局、モバイル局、モバイル、遠隔局、アクセスポイント、遠隔端末、アクセス端末、ユーザ端末、ユーザエージェント(user agent)、ユーザデバイスあるいはユーザ機器、と呼ばれることができる。無線端末は、加入者局、無線デバイス、セル電話、ＰＣＳ電話、コードレス電話、セッションイニシエーションプロトコル(Session Initiation Protocol)（ＳＩＰ）電話、無線ローカルループ(wireless local loop)（ＷＬＬ）局、携帯情報端末(personal digital assistant)（ＰＤＡ）、無線接続機能を有しているハンドヘルドデバイス、あるいは、無線モデムに接続された他の処理デバイス、であってもよい。基地局（例えばアクセスポイント）は、エアインタフェースにわたって、１つまたは複数のセクタを通じて、無線端末と、通信するアクセスネットワークにおけるデバイスを指していてもよい。基地局は、ＩＰパケットに受信されたエアインタフェースフレームを変換することによって、無線端末とのこりのアクセス端末との間のルータとして作用してもよく、それは、インターネットプロトコル（ＩＰ）ネットワークを含んでもよい。基地局は、また、エアインタフェースについての属性の管理を調節する(coordinates)。
【００２３】
さらに、ここに説明された様々な態様あるいは特徴は、標準プログラミングおよび／または工学技術を使用して、方法、装置、あるいは、製造品(article of manufacture)として、インプリメントされることができる。ここに使用されている用語「製造品(article of manufacture)」は、いずれのコンピュータ可読デバイス、キャリア、あるいはメディアからアクセス可能なコンピュータプログラムを含むように意図されている。例えば、コンピュータ可読メディアは、限定されてはいないが、磁気ストレージデバイス（例、ハードディスク、フロッピー（登録商標）ディスク、磁気ストリップ(magnetic strips）…）、光学ディスク（例、コンパクトディスク（ＣＤ）、デジタル汎用ディスク(digital versatile disk)（ＤＶＤ）…）、スマートカード、また、フラッシュメモリデバイス（例、カード、スティック、キードライブ…）を含むことができる。
【００２４】
いくつかのデバイス、コンポーネント、モジュール、および同様のものを含むことができるシステムの点から、様々な実施形態が示されるだろう。様々なシステムが、さらなるデバイス、コンポーネント、モジュール等を含むことができるということ、および／または、図に関連して説明された、デバイス、コンポーネント、モジュール、等のすべてを含んでいなくてもよいということ、は理解され、認識されるべきである。これらのアプローチの組み合わせもまた使用されることができる。
【００２５】
図面を参照すると、図１は、様々な態様にしたがった、無線多元接続通信システム１００の説明図である。一例においては、無線多元接続通信システム１００は、複数の基地局１１０および複数の端末１２０を含んでいる。さらに、１つまたは複数の基地局１１０は、１つまたは複数の端末１２０と通信することができる。例を限定しない方法によって、基地局１１０は、アクセスポイント、ノードＢ、および／または、別の適切なネットワークエンティティであってもよい。各基地局１１０は、特定の地理的なエリア１０２ａ−ｃについての通信サービスエリアを提供する。当技術分野において一般に、またここに使用されているように、用語「セル(cell)」は、用語が使用されるコンテキスト(context)によって、基地局１１０および／またはそのサービスエリア１０２を指す可能性がある。
【００２６】
システムキャパシティを改善するために、基地局１１０に対応するサービスエリア１０２ａは、複数のより小さなエリア（例えばエリア１０４ａ、１０４ｂ、および１０４ｃ）に分割されてもよい。より小さなエリア１０４ａ、１０４ｂ、および１０４ｃのそれぞれは、各ベーストランシーバサブシステム（ＢＴＳ、示されてはいない）によってサーブされることができる(may be served)。当技術分野において一般に、また、ここに使用されているように、用語「セクタ(sector)」は、用語が使用されるコンテキストによって、ＢＴＳおよび／またはそのサービスエリアを指す可能性がある。一例において、セル１０２ａにおけるセクタ１０４は、基地局１１０においてアンテナの複数グループ（示されてはない）によって形成されることができ、アンテナの各グループは、セル１０２の一部分における端末１２０との通信の責任がある。例えば、セル１０２ａにサーブしている基地局１１０は、セクタ１０４ａに対応する第１のアンテナのグループ、セクタ１０４ｂに対応する第２のアンテナのグループ、そして、セクタ１０４ｃに対応する第３のアンテナのグループを有することができる。しかしながら、ここに開示された様々な態様は、セクタ化されたおよび／または非セクタ化されたセル、を有しているシステムにおいて使用されることができる、ということが認識されるべきである。さらに、セクタ化されたおよび/または非セクタ化されたセルのうちのいずれの数を有しているすべての適切な無線通信ネットワークは、ここに添付された請求項の範囲の範囲に入るように意図されているということは、認識されるべきである。簡略化のために、ここに使用されているような用語「基地局(base station)」は、セルにサーブする局に加え、セクタにサーブする局、の両方を指すことができる。さらにここに使用されるように、「サービング(serving)」アクセスポイントは、与えられた端末と通信するアクセスポイントであり、「隣接(neighbor)」アクセスポイントは、与えられた端末が通信中でないアクセスポイントである。以下の説明は、各端末が簡略化のために１つのサービングアクセスポイントと通信するシステムに一般に関するが、端末はいずれの数のサービングアクセスポイントと通信することができるということは認識されるべきである。
【００２７】
一態様にしたがって、端末１２０は、システム１００の全体にわたって、分散されることができる。各端末１２０は、固定された、あるいは、モバイルであってもよい。例を限定しない方法によって、端末１２０はアクセス端末（ＡＴ）、モバイル局、ユーザ機器、加入者局、および/または、別の適切なネットワークエンティティであってもよい。端末１２０は、無線デバイス、セルラ電話、携帯情報端末(personal digital assistant)（ＰＤＡ）、無線モデム、ハンドヘルドデバイス、あるいは別の適切なデバイスであってもよい。さらに、端末１２０は、いつなんどきでも(at any given moment)、任意の数の基地局１１０と通信してもよいし、あるいは、基地局１１０なしで通信してもよい。
【００２８】
別の例においては、システム１００は、１つまたは複数の基地局１１０に結合されることができるシステムコントローラ１３０を利用することによって、集中化されたアーキテクチャを使用することができ、また、基地局１１０についての制御および調節(coordination)を提供することができる。代替の態様にしたがって、システムコントローラ１３０は、単一のネットワークエンティティ、あるいは、ネットワークエンティティの集まり、であってもよい。さらに、システム１００は、必要に応じて(as needed)、複数の基地局が互いに通信することを可能にする、分配されたアーキテクチャ(distributed architecture)を使用することができる。一例において、システムコントローラ１３０は、複数のネットワークに対する１つまたは複数の接続をさらに含むことができる。これらのネットワークは、システム１００において１つまたは複数の基地局１１０と通信している端末１２０からおよび／または端末１２０に対して、情報を提供することができる、インターネット、他のパケットベースのネットワーク、および／または回線交換式音声ネットワーク(circuit switched voice networks)を含むことができる。別の例において、システムコントローラ１３０は、端末１２０からおよび／または端末１２０に対して伝送をスケジュールできるスケジューラ（示されてはいない）と結合されることができる、あるいは、含むことができる。代替的に、スケジューラは、各個々のセル１０２、各セクタ１０４、あるいは、それらの組み合わせにおいて、存在することができる。
【００２９】
一例においては、システム１００は、１つまたは複数の多元接続スキーム、例えば、ＣＤＭＡ、ＴＤＭＡ、ＦＤＭＡ、ＯＦＤＭＡ、単一キャリアＦＤＭＡ（ＳＣ−ＦＤＭＡ）、および／または他の適切な多元接続スキーム、を使用することができる。ＴＤＭＡは、時分割多重化（ＴＤＭ）を利用しており、ここでは、異なる端末１２０についての伝送は、異なる時間インターバル(time intervals)において送信することによって直交される。ＦＤＭＡは、周波数分割多重化(frequency division multiplexing)（ＦＤＭ）を利用しており、ここで、異なる端末１２０についての伝送は、異なる周波数サブキャリアにおいて送信することによって直交される。一例において、ＴＤＭＡおよびＦＤＭＡシステムは、また、符号分割多重化（ＣＤＭ）を使用することができ、ここで、複数の端末についての伝送は、それらが同じ時間のインターバルあるいは周波数サブキャリアにおいて送信されるにもかかわらず、異なる直交コード（例えば、ウォルシュコード(Walsh codes)）を使用して、直交されることができる。ＯＦＤＭＡは、直交周波数分割多重化(Orthogonal Frequency Division Multiplexing)（ＯＦＤＭ）を利用し、また、ＳＣ−ＦＤＭＡは、単一キャリア周波数分割多重化(Single-Carrier Frequency Division Multiplexing)（ＳＣ−ＦＤＭ）を利用する。ＯＦＤＭおよびＳＣ−ＦＤＭは、複数の直交サブキャリア（例、トーン(tones)、ビン(bins)…）にシステムの帯域幅を分割することができ、それらのそれぞれは、データで変調されることができる。典型的には、変調シンボルは、ＯＦＤＭで周波数ドメインにおいて、また、ＳＣ−ＦＤＭで時間ドメイン(time domain)において、送信される。さらに、および／または、代替的に、システム帯域幅は、１つまたは複数の周波数キャリアに分割されることができ、それらのそれぞれは、１つまたは複数のサブキャリアを含むことができる。システム１００は、また、ＯＦＤＭＡおよびＣＤＭＡのような、多元接続スキームの組み合わせ、を利用することができる。ここにおいて提供されるパワー制御技術はＯＦＤＭＡシステムについて一般に説明されているが、ここにおいて説明された技術は、いずれの無線通信システムに対して同様に適用されることができるということは認識されるべきである。
【００３０】
別の例において、システム１００における基地局１１０および端末１２０は、１つまたは複数のデータチャネルを使用してデータを、また、１つまたは複数の制御チャネルを使用してシグナリングを、通信できる。システム１００によって使用されたデータチャネルは、各データチャネルがいつなんどきでも、１つの端末のみによって使用されるように、アクティブ端末１２０に対して割り当てられることができる。代替的に、データチャネルは、マルチプル端末１２０に対して割り当てられることができ、それは、データチャネル上で直交スケジュールされる(orthogonally scheduled)、あるいは、スーパーインポーズされる(superimposed)、ことができる。システムリソースを節約して使うために(conserve)、システム１００によって使用された制御チャネルは、また、例えば符号分割多重を使用して、複数の端末１２０の中で、共有されることができる。一例において、時間および周波数においてのみ直交に多重化されたデータチャネル(例えば、ＣＤＭを使用して多重化されなかったデータチャネル)は、対応する制御チャネルよりも、チャネル条件および受信機欠陥のため、直交における損失を受けにくい可能性がある。
【００３１】
一態様にしたがって、システム１００は、例えばシステムコントローラ１３０および／または各基地局１１０においてインプリメントされた１つまたは複数のスケジューラを介して、集中化されたスケジューリングを使用することができる。集中化されたスケジューリングを使用するシステムにおいて、スケジューラ（単数または複数）は、適切なスケジューリング決定を行なうために、端末１２０からのフィードバックに依存することができる。一例において、このフィードバックは、スケジューラが、そのようなフィードバックが受信される端末１２０についてのサポート可能な逆方向リンクのピークレートを推定することと、それに応じてシステム帯域を割り付けることと、を可能にするために、パワーアンプ（ＰＡ）ヘッドルームフィードバック(power amplifier (PA) headroom feedback)を含むことができる。
【００３２】
別の態様にしたがって、基地局１１０は、端末１２０に対して、干渉表示をブロードキャストする、あるいは、そうでなければ、送信することができる。一例において、基地局１１０は、他のセクタ干渉(other sector interference)（ＯＳＩ）メッセージ、および／または、基地局１１０が過剰な干渉を経験しているかどうかに対応している他の同様な情報、をブロードキャストすることができる。この情報は、専用ＯＳＩチャネル(dedicated OSI channel)および／または別の適切なチャネル、を介してブロードキャストされることができる。いったんブロードキャストされると、ＯＳＩメッセージは、逆方向リンク上の伝送に使用されるリソースを調節するために、端末１２０によって使用されることができる。具体的な例として、これらのリソースは、データチャネルＰＳＤ、制御チャネルＰＳＤ、間の差と、サービング基地局１２０と最も強力な近くの基地局１２０のうちの１つまたは複数との長期平均経路ロス差と、に基づいているパワースペクトル密度(power spectral density)（ＰＳＤ）パラメータを含むことができる。別の具体的な例において、逆方向リンク干渉制御は、システムについてのサービスの質（ＱｏＳ）パラメータおよび最小のシステム安定(minimum system stability and quality of service (QoS) parameters for the system)を保証するために、システム１００によって使用されることができる。より具体的に、逆方向リンク(reverse link)（ＲＬ）肯定応答メッセージの復号エラー確率(decoding error probability)は、すべての順方向リンク伝送についてのエラーフロア(error floor)として、システム１００によって使用されることができる。ＲＬ上で干渉制御を使用することによって、システム１００は、制御のパワー効率伝送(power efficient transmission)と、ＱｏＳトラフィックおよび／または厳密なエラーを備えた他のトラフィックと、を容易にすることができる。
【００３３】
図２Ａ−２Ｂは、無線通信システムにおけるデルタベースのパワー制御についてのシステム２００の一例のオペレーションを図示するブロック図である。一例において、システム２００は、端末２１０の１つまたは複数のアンテナ２１６、また、基地局２２０の１つまたは複数のアンテナ２２２を介して、順方向および逆方向リンク上で基地局２２０と通信できる端末２１０を含む。基地局２２０が、セル（例、セル１０２）についてのサービスエリアあるいはセル内のエリア（例、セクタ１０４）を提供することができるということは認識されるべきである。さらに、１つの端末２１０および基地局２２０のみが簡潔のためにシステム２００において説明されているが、システム２００は、いずれの数の基地局および／または端末を含むことができる。例えば、システム２００は、１つまたは複数の隣接の基地局を含むことができ、それは、基地局２２０によってカバーされたエリアのすべて、一部を含む、あるいは、いずれも含まない、可能性がある各地理的エリアについてのサービスエリアを提供することができる。
【００３４】
一態様にしたがって、端末２１０および基地局２２０は、１つまたは複数のパワー制御技術を介して基地局２２０と通信している端末２１０によって使用された他のリソースあるいは伝送パワーの量を制御するために、通信することができる。一例において、端末２１０は、伝送調節コンポーネント２１２を介して基地局２２０との通信についてのパワー制御をローカルに行なうことができる。あるいは、パワー制御技術は、端末２１０と基地局２２０との間で、協同して(cooperatively)、実行されることができる。端末２１０および基地局２２０によって実行されることができるパワー制御技術の例は、下記にさらに詳細に説明されている。
【００３５】
別の態様にしたがって、システム２００におけるエンティティによって利用されたパワー制御技術は、さらにシステム２００において示された干渉(interference present in system 200)を考慮に入れることができる。例えば、多元接続無線通信システムにおいては、複数の端末２１０は、時間、周波数、および／またはコードドメインにおいて互いと直交となるようにそれらの伝送を多重化することによって、アップリンク伝送を同時に行なうことができる。しかしながら、異なる複数の端末２１０からの伝送間の完全な直交は、チャネル条件、受信機欠陥および他の要因のため、しばしば達成されない。その結果、システム２００における端末２１０は、共通のセクタと通信している他の端末２１０に対して干渉をしばしば引き起こすだろう。さらに、複数の異なるセクタと通信している複数の端末２１０からの伝送は互いに典型的に直交ではないので、各端末２１０は、また、隣接のセクタと通信している端末２１０に対して干渉を引き起こす可能性がある。その結果、システム２００における端末２１０のパフォーマンスは、システム２００において他の端末２１０によって引き起こされた干渉によってデグレードされることができる(can be degraded)。
【００３６】
したがって、与えられた端末２１０によって引き起こされたインターセル干渉の量(an amount of inter-cell interference)は、システム２００において、隣接のセクタに関する端末２１０のロケーションおよび端末２１０によって使用される伝送パワーレベル(transmit power level)によって決定されることができる。このことに基づいて、パワー制御は、受容可能なレベル内に、イントラセル(intra-cell)およびインターセル(inter-cell)干渉を保持するが、各端末２１０が適切である伝送パワーレベルで送信することを可能とされるように、システム２００において実行されることができる。例えば、そのサービング基地局２２０により近くに位置づけられた端末２１０は、端末はシステム２００における他の基地局に対する少ない干渉をおそらくもたらすので、より高いパワーレベルで送信することを可能にされることができる。逆に言えば、基地局２２０のサービスエリアの端のほうにある、また、基地局２２０から遠く離れて位置づけられた、端末２１０は、端末が隣接基地局に対してより多い干渉を引き起こすかもしれないので、より低い伝送パワーレベルに制限されることができる。このような方法で伝送パワーを制御することによって、システム２００は、「認定された(qualified)」端末２１０がより高いＳＮＲｓ、すなわちより高いデータレートを達成することを可能にするが、基地局２２０によって観察されたトータルの干渉(total interference)を減らすことができる。
【００３７】
干渉ベースのパワー制御は、そこにエンティティの全体的パフォーマンスを増大させるために、様々な技術を使用して、システム２００において実行されることができる。そのような１つの技術においては、データチャネルについて伝送パワースペクトル密度(Power Spectral Density)（ＰＳＤ）、あるいは、別のチャネルに基づいてパワーオフセット(power offset)を有する別の適切なチャネルは、与えられた端末２１０について次のように表わされることができる。
【００３８】
Ｐｄｃｈ（ｎ）＝Ｐｒｅｆ（ｎ）＋ΔＰ（ｎ）                                式（１）  
ここでは、Ｐｄｃｈ（ｎ）は、アップデートインターバルの間のデータチャネルについての伝送ＰＳＤであり、Ｐｒｅｆ（ｎ）は、アップデートインターバルｎの間の基準ＰＳＤレベル(reference PSD level)であり、また、ΔＰ（ｎ）は、アップデートインターバルｎの間の伝送ＰＳＤデルタである。ＰＳＤレベルである、Ｐｄｃｈ（ｎ）とＰｒｅｆ（ｎ）と伝送パワーデルタΔＰ（ｎ）は、他の単位が使用されることができるけれども、デシベル単位で与えられることができる（例えば、Ｐｄｃｈ（ｎ）およびＰｒｅｆ（ｎ）についてはｄＢｍ／Ｈｚ、またΔＰ（ｎ）についてはｄＢ）。さらに、式（１）によって与えられたものの他の、計算もまた使用されることができるということは、理解されるべきである。一例において、基準ＰＳＤレベルであるＰｒｅｆ（ｎ）は、ターゲット信号対ノイズ比(a target signal-to-noise ratio)（ＳＮＲ）あるいは指定された伝送についての消去レート(erasure rate)を達成するのに必要とされた伝送ＰＳＤの量に対応する。伝送は、固定されたチャネル、例えばチャネル品質フィードバックチャネルあるいはリクエストチャネル、によって提供されることができる。基準パワーレベル(reference power level)が対応するターゲットＳＮＲあるいは消去レートを達成することができる場合には、そのときには、他のチャネルについての受信されたＳＮＲは、次のように推定されることができる。
【００３９】
ＳＮＲｄｃｈ（ｎ）＝ＳＮＲｔａｒｇｅｔ（ｎ）＋ΔＰ（ｎ）                    式（２）  
一例において、データチャネルと、システム２００におけるエンティティによって使用された対応する制御チャネルは、同様な干渉の統計(interference statistics)を有する可能性がある。このことは、例えば、異なるセクタからの制御およびデータチャネルが互いに干渉するとき、生じうる。そのような場合においては、チャネルについての干渉オフセット(interference offset)は、端末２１０で計算されてもよい。代替的に、制御チャネルとデータチャネルとの間の干渉オフセットは、１つまたは複数の基地局２２０によってブロードキャストされることができる。
【００４０】
別の例においては、データチャネルについての伝送ＰＳＤは、要因に基づいて設定されることができ、要因は、例えば、端末２１０が潜在的に隣接セクタ（例、セクタ１０４）において他の端末に対してもたらしているセクタ間干渉の量、端末２１０が同じセクタにおける他の端末に対してもたらしているイントラセクタ干渉の量、端末２１０についての最大許容送パワーレベル(maximum allowable transmit power level)、端末２１０による複数の伝送間の時間の期間(a period of time between transmissions)、および／または他の要因、がある。
【００４１】
図２Ａを参照すると、システム２００における端末２１０と基地局２２０との間の逆方向リンク（ＲＬ）伝送２３０が図示されている。一例において、逆方向リンク伝送のために端末２１０によって使用されたリソース、例えばパワーおよび／または帯域幅は、端末２１０で伝送調節コンポーネント２１２によって調節されることができる。別の例においては、伝送調節コンポーネント２１２は、システム２００におけるエンティティによって観察された干渉および／または他の要因を考慮にいれることができる１つまたは複数のパワー制御技術を使用することによって、逆方向リンク伝送のために端末２１０によって使用されたリソースを調節することができる。伝送調節コンポーネント２１２が利用できるパワー制御技術の一例は、デルタベースのパワー制御技術であり、それにおいて端末２１０の伝送パワーは、デルタオフセット値(delta offset value)に基づいて調節されることができる。具体的で、例を限定しない方法によって、デルタオフセット値は、端末２１０および／またはいずれの他の適切なメトリックによって使用された、パイロットチャネルとトラフィックチャネルとの間の伝送パワーの差に対応することができる。
【００４２】
一態様にしたがって、端末２１０は、端末２１０の協力的なパワー制御(cooperative power control)を容易にするために、基地局２２０に逆方向リンク伝送におけるパワー制御についての情報を通信するフィードバックコンポーネント２１４をさらに含むことができる。例えば、フィードバックコンポーネント２１４は、伝送調節コンポーネント２１２によってコンピュートされた伝送ＰＳＤデルタと、現在の伝送ＰＳＤデルタで端末２１０がサポートできるサブキャリアあるいはサブバンドの最大数であるＮｓｂ，ｍａｘ（ｎ）と、を基地局２２０に送信することができる。さらに、望ましいサービスの品質（ＱｏＳ）およびバッファサイズパラメータは、また、フィードバックコンポーネント２１４によって基地局２２０に送信されることができる。要求されたシグナリングの量を減らすために、フィードバックコンポーネント２１４は、データチャネル上のインバンドシグナリング(in-band signaling)を介して、および／または、他の手段によって、アップデートインターバルのサブセット(a subset of update intervals)において、ΔＰ（ｎ）およびＮｓｂ，ｍａｘ（ｎ）を送信することができる。端末２１０に対応する低い伝送ＰＳＤデルタは、端末２１０がそれに対して利用可能なリソースのすべてを使用してないということを意味していない、ということは認識されるべきである。代わりに、端末２１０は、そのすべての利用可能な伝送パワーを使用するために、より多くの伝送用のサブキャリアあるいはサブバンドを与えられることができる。さらに、フィードバックコンポーネント２１４は、様々な方法で、基地局２２０にパワー制御についての情報を提供することができる。例えば、そのような情報は、制御チャネルパケットのようなパケットのＭＡＣヘッダーを介して、干渉あるいはパワー制御フィードバックについてのチャネルのような別々の物理チャネルにおいて、チャネル状態情報フィードバックの一部（例、チャネル状態情報の１つまたは複数ビットとして）として、および／または、他の適切な手段によって、基地局２２０に提供されることができる。
【００４３】
別の態様にしたがって、デルタベースのパワー制御は、連続伝送の間にシステム２００において、端末２１０の伝送パワーを調節することと、基地局２２０で引き起こされた干渉の量を制御することと、において非常に効率的であることができるが、端末２１０のＰＳＤあるいは伝送パワーについての初期設定ポイント(initial set point)を提供しなくてもよい。むしろ、初期設定ポイントは、インアクティビティの期間(a period of inactivity)（あるいはサイレンス期間）の後のＰＳＤ値であってもよい。システム２００が、端末２１０が隣接セクタに対して単一のバースト干渉(single bursty interferer)であるように部分的にロードされる場合には、端末２１０についてのデルタ値は、隣接セクタがこの期間の間にいかなる干渉も経験せず、また、大きい他のセクタ干渉についての表示を送信しない、という事実のため、いずれのサイレンス期間の間に最大のデルタ値に増大することができる。この場合には、端末２１０のバースト伝送は、デルタベースパワー制御が適切なレベルに端末２１０のデルタ値を調節する機会を見つける前に、各バースト(burst)の初めに、隣接セクタに対してかなりの量の干渉を引き起こすことができる。このことは、今度は(in turn)、隣接のセクタにおける、ミスされた逆方向リンク応答メッセージ(missed reverse link acknowledgement messages)あるいはパケットエラーを導き出す可能性がある。したがって、一例において、伝送調節コンポーネント２１２は、端末２１０によって開始された各バーストの初めに、デルタ値を調節するように構成することができる。伝送のための端末２１０によって利用されたリソースに対する初期の調節(initial adjustments)を実行することによって、伝送調節コンポーネント２１２は、干渉における大きな増加のため、パフォーマンス損失を制限するように作用することができる。
【００４４】
一例において、端末２１０は、最小のデルタ値でサイレンス期間の後に伝送を始め、後続伝送(subsequent transmissions)についてのデルタ値を伝送調節コンポーネント２１２が調節することを可能にすることができる。しかしながら、いくつかのインスタンスにおいて、例えば端末２１０が基地局２２０に小さいパケットでバーストトラフィック(bursty traffic)を送信するとき、このことは、バーストトラフィックについて不必要に低いスループットを結果としてもたらすかもしれない。代替的には、各バーストの初めの干渉の量を制限するために、伝送調節コンポーネント２１２は、デルタ値および／または最大のリクエストされた帯域幅値Ｗｍａｘに、開ループ調節を行なうことができる。例として、伝送調節コンポーネント２１２は、端末２１０による前の伝送があらかじめ決定されたスレッシュホールドよりも遅く生じたかどうかを決定することができ、それは、フレームの数、スーパーフレーム、時間期間(time period)、割り当てメッセージの数、消去測定値(erasure measurements)の数、および／または他のメトリックに基づくことができる。もしそうである場合には、伝送調節コンポーネント２１２は、そのあとで、開ループデルタ値、伝送について割り当てられた帯域幅に基づいた開ループデルタ値、デルタ値に基づいて伝送について割り当てられた帯域幅、および／または他のパラメータ、をコンピュートすることができる。適切なパラメータをコンピュートした後で、調節は、計算(computation)に基づいて端末２１０によって使用される伝送パワーおよび／または帯域幅に対して行なわれることができる。
【００４５】
一例において、伝送調節コンポーネント２１２は、各バーストの始まりのみに、例えばスレッシュホールドが経過した(passed)ということを決定した後で、開ループ調節を行なうように制限されることができる。代替的に、伝送調節コンポーネント２１２は、少ないＯＳＩ表示アクティビティのためデルタ値が大きくなりすぎることを防ぐ、早いデルタ値(a fast delta value)についての最大値を提供するために、例えば端末２１０がスケジュールされていないインタレースに対応するフレームあるいはフレームの一部において、普段は(at other times)開ループ調節を容易にすることができる。
【００４６】
図２Ａによって図示されているように、端末２１０でフィードバックコンポーネント２１４によって基地局２２０に提供されたフィードバック、および／または、他の情報に基づいて、図２Ｂで図示されているように、基地局２２０は、端末２１０についてのリソース割り当て２４０を生成し、端末２１０に対してリソース割り当て２４０を通信することができる。一例においては、端末２１０のための伝送パワーは、サービングセクタ２２０でパワー制御コンポーネント２２４によって割り当てられることができる。パワー制御コンポーネント２２４は、端末２１０のフィードバックコンポーネント２１４からフィードバックを、システム２００において他の基地局および／または端末２１０から干渉表示を、および／または、端末２１０についてのリソース割り当てを生成することにおいて使用される他のパラメータを、受信することができる。パワー制御コンポーネント２２４によって使用されたパラメータは、共通の通信として、あるいは別々の通信において、一緒に受信されることができる。いったんリソース割り当て２４０がパワー制御コンポーネント２２４によって決定されると、割り当ては、端末２１０に戻って基地局２２０によって通信されることができ、ここにおいて、伝送調節コンポーネント２１２は、割り当てにしたがって端末２１０についての伝送リソースを調節することができる。
【００４７】
1つの具体的な例において、パワー制御コンポーネント２２４は、基準ＰＳＤレベルＰｒｅｆ（ｎ）に基づいて端末２１０のためのリソース割り当て２４０を生成するために使用された他のパラメータおよび／またはΔＰ（ｎ）、端末２１０からのリクエストチャネルおよび／または逆方向リンクチャネル品質インジケータ上で受信された信号のパワー(power of signals received on reverse link channel quality indicator and/or request channels from terminal 210)、および／または、他の要因(other factors)、をコンピュートすることができる。そのような例において、キャリア対干渉オフセット(carrier-to-interference offset)は、干渉から増加(rise)を差し引いた値をサーマルノイズパワーで割ること(a value for interference minus rise over thermal noise power)（ＩｏＴ−ＲｏＴ）、に沿って決定されることができる。これらの値は、そのあと、端末２１０からのリクエストチャネルおよび／または逆方向リンクチャネル品質インジケータから受信された信号のパワーをオフセットする(offset)ために使用されることができ、および／または、端末２１０に戻ってパワー制御のコマンド(power control commands)として送信されることができる。一例において、キャリア対干渉オフセットは、基地局２２０によってサーブされたセクタにおける他の端末２１０およびイントラセクタ干渉、のファンクション(function)として決定されることができる。さらに、ＩｏＴ値は、基地局２２０について計算されることができ、および／または、システム２００におけるセクタあるいは他のアクセスポイントから、該アクセスポイントあるいはセクタからのブロードキャストを介しておよび／またはバックホールを介して、受信されることができる。さらに、および/または、代替的に、ＲｏＴ値は、知られているように、パワー制御コンポーネント２２４によって計算されることができる。別の例においては、パワー制御コンポーネント２２４によって使用されたオフセットは、ステップ、他の変形、および／または、システム依存のデルタ要因(system-dependent delta factors)、に基づくことができる。
【００４８】
別の例においては、システム２００の帯域幅にわたって受信されたトータルの干渉パワーは、干渉制御メトリックとして、パワー制御コンポーネント２２４によって使用されることができる。トータルの干渉パワーは、最大のユーザごとの干渉ターゲット(a maximum per-user interference target)を決定するために使用されることができ、そのあとで、帯域幅、タイミング、および／または他のパラメータの点において逆方向リンク伝送について端末２１０をスケジュールするために使用されることができる。ユーザごとの干渉ターゲットは、例えば、干渉の被害を受けやすい配置(interference vulnerable deployment)で、システムについての、ほんのわずかのトータルの干渉パワー(a small fraction of total interference power)となるように、設定されることができる。例を限定しない方法によって、そのようなターゲットは、そのような配置(deployment)におけるセル端(cell edge)上の個別の端末は、５あるいは１０ＭＨｚの帯域幅にわたってセルを覆う(overwhelm)ために十分なパワーを有することができるので、マイクロセルの配置において使用されることができる。さらに、そのようなターゲットは、大きいＩｏＴ変形に影響されやすいかなり低いレイテンシを有するトラフィックを通信するために使用されるセルと関連して、使用されることができる。
【００４９】
別の態様にしたがって、パワー制御コンポーネント２２４によって決定され、端末２１０によって受信されるリソース割り当て２４０は、伝送調節コンポーネント２１２によってコンピュートされた端末２１０についての開ループ必要条件に適合(match)しないかもしれない。例えば、割り当てられた帯域幅は、伝送調節コンポーネント２１２によってコンピュートされた最小のデルタ値に対応する最大帯域幅に基づいた端末２１０による使用には大きすぎるかもしれない。そのような場合においては、伝送調節コンポーネント２１２は、様々な方法において割り当ての不適合(mismatch)から回復することができる。例えば、伝送調節コンポーネント２１２は、端末２１０に、伝送をサスペンドさせ(suspend)、基地局２２０からの受信された割り当てをなくさせるように、命令することができる。別の例として、最小のデルタ値は、新しい最大帯域幅および／またはデルタ値を決定するために、伝送調節コンポーネント２１２によって使用されることができ、それは、そのあとで、新しい割り当てを受信するために基地局２２０に通信されることができる。さらに、および／または代替的に、端末２１０が逆レート表示(reverse rate indication)（ＲＲＩ）および／または複数の予想デコード(multiple hypothesis decoding)ができる場合には、端末２１０は、効率的にリソース割り当てを使用するために、基地局２２０との通信について使用されるパケットフォーマットを変更することができる。さらなる例として、伝送調節コンポーネント２１２は、リソース割り当てを放棄し、また、放棄された割り当ての原因を説明するために、伝送をサスペンドするように、あるいは、ハイブリッド自動リクエスト(hybrid automatic request)（ＨＡＲＱ）再伝送を拡張するように、端末２１０に命令することができる。
【００５０】
図３Ａ−３Ｂは、無線通信システムにおける逆方向リンクパワー制御および干渉管理についてのシステム３００の一例のオペレーションを図示するブロック図である。一例において、システム３００は、それぞれのアンテナ３１６および３２２を介して順方向および逆方向リンク上のサービングセクタ３２０と通信している端末３１０を含んでいる。システム３００は、また、端末３１０との直接的に通信をしていない、１つまたは複数の隣接セクタ３３０を含むことができる。例えば、隣接セクタ３３０は、サービングセクタ３２０がサービスエリアを提供しているエリアに隣接している(bordering)地理的エリアについてのサービスエリアを提供することができる。１つの端末３１０および２つのサービングセクタ３２０および３３０のみシステム３００において図示されているが、システム３００が任意の数の端末および／またはセクタを含むことができるということは、理解されるべきである。
【００５１】
一態様にしたがって、端末３１０は、逆方向リンク上でサービングセクタ３２０との通信のために端末３１０によって使用されるリソースを制御する１つまたは複数のデルタベースのパワー制御アルゴリズムを使用することができる。端末３１０は、そのような技術を独立して使用することができ、あるいは、代替的に、端末３１０は、サービングセクタ３２０と協力してデルタベースのパワー制御を実行することができる。一例において、端末３１０とサービングセクタ３２０とによって使用されたパワー制御技術は、サービングセクタ３２０および／または隣接セクタ３３０のような他のセクタ、における端末３１０によって引き起こされた干渉のレベルに基づくことができる。端末３１０のためのパワー制御の要因として干渉を利用することによって、そのような技術は、干渉を考慮に入れない同様の技術よりも、システム３００におけるより多くの最適な全体的なパフォーマンスを容易にすることができる。
【００５２】
図３Ａを参照すると、端末３１０からサービングセクタ３２０までの逆方向リンク伝送３１４と、隣接セクタ３３０からの後続の他のセクタ干渉（ＯＳＩ）表示３１８と、が図示されている。一態様にしたがって、ドミナント干渉セクタ(dominant interference sector)３３０が端末３１０からの逆方向伝送に引き続いて干渉を経験するというイベント(event)において、ドミナント干渉セクタ３３０は、１つまたは複数のアンテナ３３２を介して順方向リンク上で端末３１０に対して１つまたは複数のＯＳＩ表示３１８を送信できる。端末３１０は、端末３１０が様々な方法で潜在的にもたらしているセクタ間干渉の量を決定するために、ドミナント干渉セクタ３３０から受信されたＯＳＩ表示３１８を利用することができる。一例において、端末３１０によって引き起こされたセクタ間干渉の量は、ドミナント干渉セクタ３３０および／またはシステム３００における他の隣接アクセスポイントにおいて、直接推定されることができる。これらの直接推定された値は、そのあとで、端末３１０がそれに応じてその伝送パワーを調節することを可能にするために、端末３１０に送信されることができる。
【００５３】
代替的に、端末３１０によって引き起こされたセクタ間干渉の量は、ドミナント干渉セクタ３３０および／または隣接アクセスポイントによって観察されたトータルの干渉と；サービングセクタ３２０、ドミナント干渉セクタ３３０、および／または、隣接アクセスポイントについてのチャネル利得と；および／または、端末３１０によって使用された伝送パワーレベルと；に基づいて、ざっと推定されることができる。一例において、システム３００における各アクセスポイントは、トータルのあるいは平均の現在観察された干渉の量を推定することができ、他のセクタにおける端末によって使用されるこれらの干渉測定値をブロードキャストすることができる。例を限定しない方法によって、単一の他のセクタ干渉（ＯＳＩ）ビットは、干渉情報を提供するために、各アクセスポイントによって使用されることができる。したがって、アクセスポイントは、そのＯＳＩビット（ＯＳＩＢ）を以下のように設定することができる。
【数１】
2010503341.tif 000003
【００５４】
ここでは、ＩＯＴｍｅａｓ，ｍ（ｎ）は、時間インターバルｎにおける、ｍ番目のセクタについて測定された、干渉／サーマル(interference-over-thermal)（ＩＯＴ）値であり、ＩＯＴｔａｒｇｅｔは、セクタについての望ましい操作ポイント(desired operating point)である。式（３）において使用されるように、ＩＯＴは、サーマルノイズパワーに対するアクセスポイントによって観察されたトータルの干渉パワーの比を指す。このことに基づいて、具体的な操作ポイントは、システムについて選択され、ＩＯＴｔａｒｇｅｔとして示されることができる。一例において、ＯＳＩは、複数のレベルに量子化されることができ、また、それにしたがって、複数のビットを備えることができる。例えば、ＯＳＩ表示は、ＩＯＴＭＩＮおよびＩＯＴＭＡＸのような２つのレベルを有することができる。例えば観察されたＩＯＴがＩＯＴＭＩＮとＩＯＴＭＡＸとの間にある場合には、そのあとで、端末３１０は、調節なしでその現在の伝送パワーを使用することを継続することができる、ようにレベルは構成されることができる。代替的に、観察されたＩＯＴが与えられたレベルより上あるいは下である場合には、そのときには、伝送パワーは、アップワード(upward)あるいはダウンワード(downward)で、それに応じて調節されることができる。
【００５５】
ＯＳＩ表示３１８は、さまざまな方法でドミナント干渉セクタによって通信されることができる。例えば、ドミナント干渉セクタ３３０によって通信されたＯＳＩ表示３１８は、順方向リンクＯＳＩチャネル（Ｆ−ＯＳＩＣＨ）のような、順方向リンク物理チャネルにわたって搬送された通常のＯＳＩ表示でありうる。通常のＯＳＩ表示は、例えば、そのような表示の要求されたパワーおよび時間周波数リソースを説明するために、スーパーフレームごとの１つの伝送にレート限定されることができる。別の例として、ドミナント干渉セクタ３３０によって通信されたＯＳＩ表示３１８は、順方向リンク 早いＯＳＩチャネル(forward link fast OSI channel)（Ｆ−ＤＯＳＩＣＨ）および／または別の適切なチャネルにわたって搬送された、早いＯＳＩ表示であってもよい。そのような表示は、例えば、パワーレベルのより動的制御をイネーブルするために端末３１０によってバーストトラフィックが送信される、シナリオにおいて使用されることができる。さらに、ドミナント干渉セクタ３３０によって通信されたＯＳＩ表示３１８は、トラフィックの干渉／サーマルノイズパワー(interference over thermal noise power)（ＩＯＴ）、および／または、ドミナント干渉セクタ３３０によって観察された他の干渉オフセットパラメータ、の表示を含むことができ、それは、順方向リンクＩＯＴチャネル(forward link IOT channel)（Ｆ−ＩＯＴＣＨ）のような順方向リンク物理チャネルにわたって搬送されることができる。
【００５６】
別の態様にしたがって、端末３１０は、端末３１０からの逆リンク伝送３１４を受信することができる、アクセスポイントについての伝播経路利得あるいはチャネル利得をさらに推定することができる。アクセスポイントのうちのそれぞれについてのチャネル利得は、順方向リンク上でアクセスポイントから受信されたパイロットを処理することによって推定されることができる。一例において、ドミナント干渉セクタ３３０のようなサービングセクタ３２０と隣接アクセスポイントとの間のチャネル利得比率は、サービングセクタ３２０に対する距離を比較して、ドミナント干渉セクタ３３０に対する距離を示す「相対的な距離(relative distance)」として使用されることができる。端末３１０がサービングセクタ３２０に対応するセクタ端のほうへ移動するとき、隣接アクセスポイントについてのチャネル利得比は次第に低減し、また、端末３１０がサービングセクタ３２０により近くに移動するときに、一般に増加するということが観察されることができる。さらに、パイロットキャリアパワー／サーマルノイズパワー(pilot carrier power over thermal noise power)（ｐＣｏＴ）、および／または、他のチャネル品質パラメータに関する情報は、順方向リンクパイロット品質インジケータチャネル(forward link pilot quality indicator channel)（Ｆ−ＰＱＩＣＨ）および／または別の適切な順方向リンク物理チャネルを通じて、セクタ３２０および／または３００によって、端末３１０に通信されることができる。
【００５７】
図３Ａに図示されているように逆方向リンク伝送からサービングセクタ３２０までの端末３１０によって引き起こされた干渉を示しているドミナント干渉セクタ３３０からのＯＳＩ表示の存在あるいは欠如に基づいて、端末３１０は、逆方向リンク伝送に使用されたリソースに対してデルタベースの調節を実行し、図３Ｂに図示されているように、調節されたリソースで伝送を繰り返すことができる。一例において、端末３１０は、伝送パワー、帯域幅、および／またはサービングセクタ３２０との逆方向リンク通信に使用されたリソースを調節するために、伝送調節コンポーネント３１２を含むことができる。伝送調節コンポーネント３１２が端末３１０のコンポーネントとして図３Ｂにおいて図示されているが、サービングセクタ３２０および／または別の適切なネットワークエンティティが、独自にあるいは端末３１０と協力して、伝送調節コンポーネント３１２によって実行された計算のうちのいくつかあるいはすべてを実行することもできるということは、理解されるべきである。
【００５８】
一態様にしたがって、端末３１０は、システム３００における隣接アクセスポイントによってブロードキャストされたＯＳＩビットをモニターし、ドミナント干渉セクタ３３０のＯＳＩビットに応答のみするように構成されることができ、それは、隣接アクセスポイントの最小のチャネル利得比を有することができる。一例においては、例えば名目セクタ間干渉よりも高く観察しているドミナント干渉セクタ３３０のため、ドミナント干渉セクタ３３０のＯＳＩビットが「１」に設定される場合には、そのときには、伝送調節コンポーネント３１２は、それにしたがって、ダウンワードに端末３１０によって使用された逆方向リンク伝送リソースを調節し、また、サービングセクタ３２０に対する最も新しい逆方向リンク伝送の再伝送を命令することができる。反対に、ドミナント干渉セクタ３３０のＯＳＩビットが「０」に設定される場合には、伝送調節コンポーネント３１２は、アップワードに端末３１０の逆方向リンク伝送リソースを調節することができる。代替的に、伝送調節コンポーネント３１２は、１以上のアクセスポイントからＯＳＩビットを利用することができ、また、端末３１０の逆方向リンク伝送リソースを調節するために、複数の受信されたＯＳＩビットに基づいて逆方向リンク再伝送３２４を開始するために、様々なアルゴリズムを利用することができる。
【００５９】
別の態様にしたがって、逆方向リンク伝送パワーおよび／または端末３１０によって利用された他のリソースは、伝送調節コンポーネント３１２によってコンピュートされたパワーメトリック(power metric)を使用して、ドミナント干渉セクタ３３０から受信された早いＯＳＩ表示に基づいて伝送調節コンポーネント３１２によって調節されることができる。例えば、端末３１０によるパケットの伝送がドミナント干渉セクタ３３０において干渉を引き起こす場合には、ドミナント干渉セクタ３３０は、パケットの再伝送について使用される伝送パワーを低くするために端末３１０に対して示すことができる。このことは、例えば、ＯＳＩ表示に関連づけられたパケットの伝送を用いて図３Ａにおいて示されているように端末３１０に対してＯＳＩ表示をインタレースすることによって、行なわれることができる。
【００６０】
ドミナント干渉セクタ３３０からのＯＳＩ表示に基づいてシステム３００における端末３１０によって逆方向リンク上、パケットの、伝送、調節および後続再伝送は、図４においてタイムライン４００によって図示されているように処理できる。一態様にしたがって、伝送調節コンポーネント３１２は、ＯＳＩ表示を受信するときにＯＳＩをもたらしたパケットの再伝送の前に端末３１０によって使用されたリソースに対して調節を実行することができる。例えば、タイムライン４００によって図示されているように、第１の逆方向リンク伝送は、インタレース４０１で行なわれることができ、また、伝送に対応するＯＳＩ表示は、インタレース４０３において受信されることができる。ＯＳＩ表示に基づいて、リソース調節が、インタレース４１０において第１のパケットの再伝送のために、インタレース４０４で実行されることができる。同様に、第２の逆方向リンク伝送は、インタレース４０２で行なわれることができ、第２のリソース調節は、インタレース４０５で受信された第２の伝送に対応するＯＳＩ表示に基づいて、インタレース４０８で実行されることができる。ＯＳＩ表示は、また、インタレース４０５の第３の逆方向リンク伝送によって図示されているように、逆方向リンク伝送で、共通のインタレース上で受信されることができる。第３の伝送についてのＯＳＩ表示は、また、インタレース４０７で示されているように、受信されることができる。与えられたパケットについての再伝送は、タイムライン４００におけるインタレース４０１および４１０によって図示されるように、最初の伝送(initial transmission)後の８つのインタレースで、生じることができ、あるいは代替的に、再伝送は、いずれの他の適切なユニフォームの、あるいは、最初の伝送に続くノンユニフォームの、インターバルで生じることができる。
【００６１】
1つの例において、パケットの再伝送のための伝送パワーは、オリジナル伝送がＯＳＩ表示をもたらし調節を必要とするかどうかを決定することによって、決定されることができる。もしそうである場合には、端末３１０は、あらかじめ決定された数のインタレース内で行なわれた他の調節をチェックし、ＯＳＩ表示をもたらすように示された、調節されたパワー値のうちの最小のものを選択し、デルタオフセット値によってそのようなパワー値を最小に下げることができる。代替的に、オリジナルの伝送がＯＳＩ表示をもたらさないということが決定される場合には、端末３１０は、あらかじめ決定された数のインタレース内で行なわれた他の調節についてチェックし、ＯＳＩ表示をもたらさなかったということが示された調節されたパワー値の最大を選択し、そして、デルタオフセット値によってそのようなパワー値を最大に上げることができる。別の例においては、伝送リソースを調節するために使用されたパワーメトリックおよび／またはデルタ値は、下記で説明されているように、１つまたは複数の技術を使用して、あらかじめ決定されることができるあるいは計算されることができる。
【００６２】
別の例においては、端末３１０のための伝送リソースについての新しい割り当ては、タイムライン４００上でいずれのインタレースの間に、サービングセクタ３２０および／またはシステム３００における別の適切なエンティティ、から起こっても(arrive)よい。新しい割り当ては、例えば、前のインタレースの調節に基づいてＰＳＤを提供するデルタ値、を備えることができる。新しい割り当てに基づいて、端末３１０は、端末３１０についての新しい割り当てにおいてパワーメトリックをサービングセクタ３２０が使用することを可能にするために、次の逆方向リンク伝送の初めに、サービングセクタ３２０に伝送リソースを調節する、端末３１０によって使用されたパワーメトリックを報告することができる。一例において、ＯＳＩが端末３１０からの報告に基づいて存在するということをサービングセクタ３２０によって決定される場合には、サービングセクタ３２０は、後続割り当てにおいて端末３１０によって使用された伝送パワーを下げることができる。
【００６３】
図５−７を参照すると、無線通信システムにおける干渉管理およびデルタベースのパワー制御についての方法が図示されている。説明の簡潔化の目的のために、一連の動作(acts)として方法が示され、説明されているが、いくつかの動作は、１つまたは複数の実施形態にしたがって、ここに示され説明されるのとは異なる順序および／または他の動作と同時に生じうるので、方法が、動作の順序によって限定されない、ということが、理解され、かつ認識されるべきである。例えば、当業者は、方法が、ステート図におけるような、一連の相互に関係づけられたステートあるいはイベントとして代わりに表されることが出来るであろうことを理解し、認識するだろう。さらに、1つまたは複数の実施形態に従って方法をインプリメントするために、示された動作のすべては、必ずしも必要とされなくともよい。
【００６４】
図５を参照すると、無線通信システム(例えばシステム２００）における逆方向リンク伝送リソースを調節するための方法５００が図示されている。方法５００は、例えば端末（例、端末２１０）および／またはいずれの他の適切なネットワークエンティティによって、実行されることができるということは、理解されるべきである。方法５００は、ブロック５０２で始まり、ここでは、サービングセクタ（例えば基地局２２０）に対する逆方向リンク伝送が行なわれている。次に、ブロック５０４では、あらかじめ決定されたスレッシュホールドの後に生じた５０２で逆方向リンク伝送が行なわれたかどうかが決定されている。スレッシュホールドは、例えば、いくつかのフレームあるいはスーパーフレーム、時間期間(time period)、いくつかの割り当てメッセージ、いくつかの消去測定値、および／または他のメトリック、に基づくことができる。
【００６５】
ブロック５０２で行なわれた伝送がスレッシュホールドの後に生じなかったことがブロック５０４で決定される場合には、方法５００は終了する。そうでない場合には、方法５００は、ブロック５０６へと移り、ここでは、開ループデルタ値、割り当てられた帯域幅に基づいた開ループデルタ値、およびデルタ値に基づいた帯域幅、のうちの１つまたは複数がコンピュートされる。一例において、ブロック５０６で実行された開ループ調節は、例えばブロック５０４で使用されたスレッシュホールドが通過した後のような、それぞれの伝送バースト(transmission bursts)の始まりに制限されることができる。代替的に、開ループ予測は、少ないＯＳＩ表示アクティビティのため、デルタ値が大きくなりすぎることから防ぐ早いデルタ値についての最大値を決定するために、方法５００を実行するエンティティがスケジュールされないインタレース上で、ブロック５０６においてコンピュートされることができる。
【００６６】
一態様にしたがって、開ループデルタ値、伝送について割り当てられた帯域幅に基づいた開ループデルタ値、および／または、ブロック５０６で実行されることができるデルタ値に基づいて伝送について割り当てられた帯域幅、の計算(computations)は、次の限定されない例において説明されているように、行われることができる。一例において、最大ＰＳＤ増加を制御するブロック５０６で開ループデルタ値をコンピュートするために、デルタ値は、
（ＩＯＴａｖｇ＋ｐＣｏＴ×Δ）／ＩｏＴａｖｇ＜ＩｏＴＲｉｓｅｍａｘ            式（４）  
となるように計算されることができる。式（２）で使用されているように、ＩｏＴａｖｇは、システムのパラメータとして提供されることができる干渉オフセット値であり、例えば、それは、ブロック５０６での開ループ調節が計算されている非サービングセクタによって、および／または、サービングセクタとの最小のチャネル利得差を有しているセクタから、ブロードキャストされることができる。一例において、ＩｏＴａｖｇは、システム設計の簡略化のために、および／または、パワー制御に必要とされたフィードバックの量を減らすために、固定された値に設定されることができる。そのような例において、ＩｏＴａｖｇは、保守値(conservative value)（例、１、その結果、サーマルノイズの他に現在の干渉を想定しない）、ＩｏＴｔａｒｇｅｔのような名目ＩｏＴ値、および／または、別の適切な値、に設定されることができる。さらに、ｐＣｏＴは、非サービングセクタにおいて、基準チャネル（例、逆方向リンクパイロットチャネル、チャネル品質インジケータチャネル、および／またはいずれの他の基準チャネル）上の受信信号パワー（例、受信されたキャリアＰＳＤ／サーマルＰＳＤ）の測定に対応する。ｐＣｏＴの値は、例えば、順方向リンクパイロット品質チャネル(forward link pilot quality channel)（Ｆ−ＰＱＩＣＨ）のような専用順方向リンクチャネルにわたって通信され、非サービングセクタから通信され、チャネル利得差の値を使用してサービングセクタについての対応するパラメータを適切に調節することによって得られ、および／または、他の手段によって、でもよい。さらに、ＩｏＴＲｉｓｅｍａｘは、非サービングセクタにおいていずれのアクセス端末によってひきおこされた干渉の量における、最大許容増加を示している。ＩｏＴＲｉｓｅｍａｘの値は、システムのコンフィギュレーションあるいはオーバヘッド提供された値(a system configuration or overhead provided value)であってもよい。
【００６７】
別の例において、上記の技術を使用してコンピュートされたデルタ値が最小のデルタ値(Δｍｉｎ)よりも小さいというイベントにおいて、最大サポート可能帯域幅であるＷｍａｘは、あらかじめ決定された量によって下に割り付けられることができ、あるいは以下の式に基づくことができる。
【００６８】
（ＩｏＴａｖｇ＋Ｗｍａｘ／Ｗｔｏｔ×ｐＣｏＴ×Δｍｉｎ）／ＩｏＴａｖｇ＜ＩｏＴＲｉｓｅｍａｘ
式（５）  
ここでは、Ｗｔｏｔは、トータルのシステム帯域幅である。
【００６９】
さらなる例において、開ループデルタは、割り当てられた帯域幅Ｗに基づいて平均ＰＳＤ増加を制御するために、ブロック５０６で、次のようにコンピュートされることができる。
【００７０】
（ＩｏＴａｖｇ＋Ｗ／Ｗｔｏｔ×ｐＣｏＴ×Δ）／ＩｏＴａｖｇ＜ＩｏＴＲｉｓｅｍａｘ
式（６）  
さらに、Ｗを割り当てることにおいてサービングセクタを手助けする追加情報として、最大サポート可能帯域幅であるＷｍａｘは、また、
（ＩｏＴａｖｇ＋Ｗｍａｘ／Ｗｔｏｔ×ｐＣｏＴ×Δｍｉｎ）／ＩｏＴａｖｇ＜ＩｏＴＲｉｓｅｍａｘ
式（７）  
となるように、最小のデルタ値(Δｍｉｎ)に基づいてコンピュートされることができ、割り当ての前にサービングセクタに通信されることができる。
【００７１】
さらなる例において、各伝送バーストの始まりの干渉の量は、また、現在のデルタ値に基づいて初期の最大サポート可能帯域幅を制限することと、平均ＰＳＤ増加を制御することと、によってブロック５０６で制御されることができる。このケースにおいては、最大サポート可能帯域幅（Ｗｍａｘ）値は、
（ＩｏＴａｖｇ＋Ｗｍａｘ／Ｗｔｏｔ×ｐＣｏＴ×Δ）／ＩｏＴａｖｇ＜ＩｏＴＲｉｓｅｍａｘ
式（８）  
となるように計算されることができ、また、サービングアクセスポイントに対して通信されることができる。サービングアクセスポイントは、そのあと、デルタ値を調節するために早い表示についての十分な時間を可能にするために、後続割り当てよりも割り当てられた帯域幅を次第に増大させることができる。
【００７２】
別の態様にしたがって、対応するデルタ値は方法５００を実行しているエンティティによって利用されることができるが、方法５００を実行するエンティティに対してリソースを割り当てるために、サービングセクタは、データキャリア対干渉(data carrier to interference)（ＤａｔａＣｔｏＩ）値を利用することができる。さらに、各パケットフォーマットは、関連づけられたＤａｔａＣｔｏＩｍｉｎおよび／またはΔｍｉｎ値を有することができる。一例においては、使用されるべきＤａｔａＣｔｏＩｍｉｎを含むルックアップテーブルが、維持されることができる。さらに、ルックアップテーブルへのインデクスは、方法５００を実行するエンティティおよび／またはサービングセクタが、ＤａｔａＣｔｏＩｍｉｎ値および／またはパケットフォーマットについてのΔｍｉnに関連づけることを可能にするために、各パケットフォーマットについてブロック５０６で提供されることができる。
【００７３】
ブロック５０６で計算を完了するとき、方法５００は、ブロック５０８で終了し、ここでは、帯域幅および／または伝送パワーは、ブロック５０６で実行された計算に少なくとも部分的に基づいて、（例えば、伝送調節コンポーネント３１２によって）調節されている。一態様にしたがって、第１のデルタ値（例、Δｓｌｏｗ）は、隣接アクセスポイントからの遅いＯＳＩ表示に基づいてブロック５０６でコンピュートされることができる。第１のデルタ値は、ブロック５０６でコンピュートされた他のパラメータについての最大値および／またはサービングセクタに対するフィードバックとして、個別にあるいは、パワーヘッドルーム、干渉報告、および／または今後のリソース割り当てについての他のフィードバックと組み合わせて、使用されることができる。一例において、第２のデルタ値（例えばΔｔｘ）は、さらにブロック５０６でコンピュートされることができ、ブロック５０８で帯域幅および／または伝送パワーに対する調節について使用されることができる。
【００７４】
別の態様にしたがって、ブロック５０８のリソース調節は、次のように、Δｔｘの値に基づいて、行なわれることができる。第１に、各インタレースｉについて、パワーメトリックＰＭｉは、サービングセクタから受信されたＣｏＴ値とインタレース上で割り当てられた帯域幅との積、例えばＰＭｉ＝ＣＯＴｉ×ＢＷｉ、として定義されることができる。
【００７５】
最大および最小のパワーメトリックは、そのあと、各インタレースについて、次のように計算されることができる。
【数２】
2010503341.tif 000004
【００７６】
これらの値に基づいて、インタレースについてのパワーメトリックiは、そのあとで、次のように設定されることができ、
【数３】
2010503341.tif 000005
【００７７】
制約
Δｍｉｎ，ｉ≦Δｔｘ，ｉ≦Δａｓｓｉｇｎｅｄ，ｉ                                  式（１１）  
を条件としている。
【００７８】
さらにおよび/または代替的に、物理チャネル（例、Ｒ−ＤＣＨ）上で逆方向リンクデータ通信について使用された送信ＰＳＤは、サービングセクタからの割り当てに基づいて、ブロック５０８で、次のように調節されることができる。
【００７９】
ＰＳＤＲ−ＤＣＨ＝ＰＳＤＲ−ＰＩＣＨ＋Δｔｘ＋ＡｔｔｅｍｐｔＢｏｏｓｔｊ      （１２）  
ここでは、ｊは、サブパケットのインデクスであり、ＡｔｔｅｍｐｔＢｏｏｓｔｊは、サービングセクタによって割り当てられた出力ブーストパラメータ(power boost parameter)である。
【００８０】
さらなる一態様にしたがって、システム３００における各セクタによって使用されたデータチャネルは、互いに直交するように多重化されることができる。しかしながら、そのような多重化にもかかわらず、直交性におけるいくらかの損失は、キャリア間干渉(inter-carrier interference)（ＩＣＩ）、シンボル間干渉(inter-symbol interference)（ＩＳＩ）、および／または、他の原因、から生じる可能性があり、セクタ間干渉が結果として生じうる。イントラセクタ干渉を緩和するために、端末３１０の送信ＰＳＤは、端末３１０が同じセクタにおいて他の端末に対して引き起こしうるイントラセクタ干渉の量が受容可能レベル内で維持されるように、伝送調節コンポーネント３１２によって制御されることができる。このことは、例えば、対応する範囲であるΔＰ（ｎ）∈［ΔＰｍｉｎ，ΔＰｍａｘ］内にあるように、伝送ＰＳＤデルタであるΔＰ（ｎ）を抑えることによって、達成されることができ、ここでは、ΔＰｍｉｎおよびΔＰｍａｘは、それぞれ、与えられたデータチャネルについて許容される最小および最大の伝送ＰＳＤデルタである。
【００８１】
図６は、無線通信システム（例えばシステム３００）における干渉を低減するために、逆方向リンク伝送リソースを調節するための方法６００を図示している。方法６００は、例えば端末（例、端末３１０）および／または無線通信システムにおけるいずれの他の適切なネットワークエンティティ、によって実行されることができるということは、理解されるべきである。方法６００は、ブロック６０２で始まり、ここでは、サービングセクタ（例えばサービングセクタ３２０）に対する逆方向リンク伝送が行なわれている。次に、ブロック６０４では、ＯＳＩ表示が受信されるか（例えばドミナント干渉セクタ３００から）どうかが決定される。一例において、方法６００を実行するエンティティによるパケットの伝送が隣接セクタで干渉を引き起こす場合には、そのセクタは、後続の再伝送に使用された伝送パワーが下げるべきであるということをリクエストするために、ＯＳＩ表示を送信することができる。これは、例えば、ブロック６０２において、伝送で、ＯＳＩ表示をインタレースすることにより行われることができる。
【００８２】
ＯＳＩ表示がブロック６０４で受信される場合には、方法６００は、ブロック６０６に移ることができ、ここでは、ＯＳＩをもたらしたあらかじめ決定された時間の期間(predetermined period of time)内で使用された最小のパワー値が選択されている。一例においては、方法６００を実行するエンティティは、あらかじめ決定された数のインタレースあるいは別のあらかじめ決定された時間の期間(another predetermined time period)内で行われた他の調節についてチェックし、ＯＳＩ表示をもたらしたということが示された調節されたパワー値のうちの最小のものを選択する。方法６００は、そのあと、ブロック６０８で終了することができ、ここでは、伝送パワー（例、ブロック６０２で行われた伝送の再伝送に使用された伝送パワー）は、ブロック６１０で選択された伝送パワー値からのデルタオフセット値を差し引くことによって、調節されている。
【００８３】
代替的に、ブロック６０４でＯＳＩ表示が受信されない場合には、方法６００は、その代りに、ブロック６１０に移ることができ、ここでは、ＯＳＩをもたらさなかったあらかじめ決定された時間の期間内に使用された最大の伝送パワーが選択されている。一例においては、方法６００を実行しているエンティティは、あらかじめ決定された数のインタレースあるいは別のあらかじめ決定された時間期間内に行なわれた他の調節についてチェックし、ＯＳＩ表示をもたらさなかったということが示された、調節されたパワー値のうち最大を選択することができる。方法６００は、そのあと、ブロック６１２で終了し、ここでは、伝送パワー（例、ブロック６０２で行われた伝送の再伝送に使用された伝送パワー）は、ブロック６１０で選択された伝送パワー値からのデルタオフセット値を加えることによって、調節されている。
【００８４】
図７は、無線通信システム（例えばシステム２００）における逆方向リンクパワー制御および干渉管理を実行するための方法７００を図示している。方法７００は、例えばアクセスポイント（例、基地局２２０）および／または無線通信システムにおけるいずれの他の適切なネットワークエンティティ、によって実行されることができる、ということが認識されるべきである。方法７００は、ブロック７０２で始まり、ここでは、通信リクエストおよび／またはパワー制御フィードバック情報は、端末（例えば端末２１０）から受信される。方法７００は、そのあとで、７０４に移り、ここでは、端末によって引き起こされたＯＳＩアクティビティの報告が受信される。一例において、ブロック７０２および７０４で受信された情報は、共通の通信においてあるいは個別の通信において、一緒に受信されることができる。さらに、ブロック７０４で受信された報告は、端末あるいはシステムにおける別の適切なエンティティ（例、隣接基地局）によって、方法７００を実行するエンティティに通信されることができる。
【００８５】
次に、ブロック７０６では、端末についての伝送パワーあるいは帯域幅のうちの１つまたは複数は、ブロック７０２および７０４での受信された情報に基づいて、割り当てられることができる（例えば、パワー制御コンポーネント２２４によって）。1つの具体的な例においては、ΔＰ（ｎ）および／または端末についてのリソース割り当てを生成するために使用された他のパラメータは、ブロック７０６で、基準ＰＳＤレベルであるΔＰｒｅｆ（ｎ）、端末からのリクエストチャネルおよび／または逆方向リンクチャネル品質インジケータ上で受信された信号のパワー、および／または、他の要因、に基づいてコンピュートされることができる。そのような例において、キャリア対干渉のオフセットは、干渉から増加を差し引いた値／サーマルノイズパワー、に沿って決定されることができ、また、これらの値は、端末から逆方向リンク上で信号のパワーをオフセットするために使用される、および／または、ブロック７０８でパワー制御命令として送信される、ことができる。一例において、キャリア対干渉のオフセットは、与えられたセクタにおける他の端末とイントラセクタの干渉のファンクション(function)として決定されることができる。さらに、ＩｏＴ値は、ブロック７０６で計算されるおよび／または他のアクセスポイントあるいはセクタから受信される、ことができる。さらにおよび／または代替的に、ＲｏＴ値は、知られているように、ブロック７０６で計算されることができる。別の例において、ブロック７０６で使用されたオフセットは、ステップ、他の変形、および／または、システム依存のデルタ要因(system-dependent delta factors)に基づいていてもよい。ブロック７０６で割り当てを完了する際に、方法は、ブロック７０８で終了し、ここでは、割り当てられた伝送パワーおよび／または帯域幅は、端末に通信される。
【００８６】
図８を参照すると、ここに説明されている１つまたは複数の実施形態が機能する、無線通信システム８００の一例を図示しているブロック図が提供されている。一例において、システム８００は、送信機システム８１０および受信機システム８５０を含んでいる、マルチプル入力マルチプル出力(multiple-input multiple-output)（ＭＩＭＯ）システムである。しかしながら、送信機システム８１０および／または受信機システム８５０がマルチ入力単一出力システム(multi-input single-output system)にも適用されることができるということは、理解されるべきであり、ここでは、例えば、マルチプル送信アンテナ（例、基地局上で）は、１つまたは複数のシンボルストリームを、単一のアンテナデバイス（例、モバイル局）に送信することができる。さらに、ここに説明されている送信機システム８１０の態様および／または受信機システム８５０の態様は、単一の出力から単一の入力へのアンテナのシステム(a single output to single input antenna system)に関連して利用されることができるということは、理解されるべきである。
【００８７】
一態様にしたがって、多くのデータストリームのためのトラフィックデータは、データソース８１２から伝送（ＴＸ）データプロセッサ８１４まで、伝送システム８１０において提供されている。一例において、各データストリームは、そのあとで、各送信アンテナ８２４を介して、送信されることができる。さらに、ＴＸデータプロセッサ８１４は、コード化されたデータを提供するために各それぞれのデータストリームについて選択された特定のコード化スキーム(particular coding scheme)に基づいて、各データストリームについてのトラフィックデータをフォーマット化し、コード化し、そしてインターリーブする(interleave)ことができる。一例において、各データストリームのコード化されたデータは、そのあとで、ＯＦＤＭ技術を使用して、パイロットデータで多重化されてもよい。パイロットデータは、例えば、既知の方法で処理される既知のデータパターンであってもよい。さらに、パイロットデータは、チャネルレスポンスを推定するために受信機システム８５０で使用されることができる。送信機システム８１０に戻り、各データストリームについて、多重化されたパイロットおよびコード化されたデータは、変調シンボルを提供するために、各それぞれのデータストリームについて選択された特定の変調スキーム（例、ＢＰＳＫ、ＱＳＰＫ、Ｍ−ＰＳＫ、あるいはＭ−ＱＡＭ）に基づいて、変調されることができる（すなわち、シンボルマッピングされることができる）。一例において、各データストリームについてのデータレート、コード化、および変調は、プロセッサ８３０によって提供されたおよび／またはプロセッサ８３０上で実行されたインストラクションによって決定されることができる。
【００８８】
次に、すべてのデータストリームについての変調シンボルは、ＴＸプロセッサ８２０に提供されることができ、それは、変調シンボル（例、ＯＦＤＭについての）をさらに処理することができる。ＴＸ ＭＩＭＯプロセッサ８２０は、そのあとで、ＮＴ送信機（ＴＭＴＲ）８２２ａからＮＴ送信機（ＴＭＴＲ）８２２ｔに対して、ＮＴ変調シンボルストリームを供給することができる。一例において、各送信機８２２は、１つまたは複数のアナログ信号を提供するために、それぞれのシンボルストリームを受信し、処理することができる。各送信機８２２は、そのあとで、ＭＩＭＯチャネルにわたって伝送に適切な変調された信号を提供するためにアナログ信号をさらにコンディションする(condition)（例、増幅し、フィルタにかけ、そしてアップコンバートする）ことができる。したがって、送信機８２２ａから送信機８２２ｔまでのＮＴ変調信号は、それぞれ、そのあと、ＮＴアンテナ８２４ａからＮＴアンテナ８２４ｔ、より送信されることができる。
【００８９】
別の態様にしたがって、送信された変調信号は、ＮＲアンテナ８５２ａから８５２ｒまでによる、受信機システム８５０で受信されることができる。各アンテナ８５２からの受信信号は、そのあとで、それぞれの受信機（ＲＣＶＲ）８５４に対して供給されることができる。一例においては、各受信機８５４は、それぞれの受信信号をコンディションし（例えば、フィルタにかけ、増幅し、またダウンコンバートする）、サンプルを提供するためにコンディションされた信号をデジタル化することができ、そして、対応する「受信(received)」シンボルストリームを提供するためにサンプルを処理する。そのあと、ＲＸ ＭＩＭＯ／データプロセッサ８６０は、そのあと、ＮＴ「検出(detected)」シンボルストリームを提供するために、特定の受信機処理技術に基づいて、ＮＲ受信機８５４からＮＲ受信シンボルストリームを受信し、処理することができる。一例においては、各検知シンボルストリームは、対応するデータストリームのために伝送された変調シンボルの推定値であるシンボルを含むことができる。ＲＸプロセッサ８６０は、そのあと、対応するデータストリームについてのトラフィックデータを回復するために、各検出シンボルストリームを復調し、デインタリーブし、そして、デコードすることによって、少なくとも部分的に各シンボルストリームを処理することができる。したがって、ＲＸプロセッサ８６０による処理は、送信機システム８１０で、ＴＸ ＭＩＭＯプロセッサ８２０およびＴＸデータプロセッサ８１４によって実行されたそれに補足的であってもよい。ＲＸプロセッサ８６０は、さらに、処理されたシンボルストリームを、データシンク８６４に供給してもよい。
【００９０】
一態様にしたがって、ＲＸプロセッサ８６０によって生成されたチャネルレスポンス推定は、受信機において、空間／時間処理を実行し、パワーレベルを調節し、変調レートあるいはスキームを変更し、および／または他の適切なアクション(actions)、に使用されることができる。さらに、ＲＸプロセッサ８６０は、例えば、検出されたシンボルストリームの信号対ノイズおよび干渉比(signal-to-noise-and-interference ratios)（ＳＮＲｓ）のような、チャネル特性(channel characteristics)をさらに推定することができる。ＲＸプロセッサ８６０は、そのあと、推定されたチャネル特性を、プロセッサ８７０に提供することができる。一例において、ＲＸプロセッサ８６０および/またはプロセッサ８７０は、システムについての「動作している(operating)」ＳＮＲの推定をさらに導き出すことができる。プロセッサ８７０は、そのあと、チャネル状態情報(channel state information)（ＣＳＩ）を提供することができ、それは、通信リンクおよび／または受信データストリーム、に関する情報を備えることができる。この情報は、例えば、動作しているＳＮＲを含むことができる。ＣＳＩは、そのあとで、ＴＸデータプロセッサ８１８によって処理され、変調器８８０によって変調され、送信機８５４ａから送信機８５４ｒまでによってコンディションされ、送信機システム８１０に戻って送信されることができる。さらに、受信機システム８５０におけるデータソース８１６は、ＴＸデータプロセッサ８１８によって処理されるために追加のデータを供給することができる。
【００９１】
送信機システム８１０に戻って、受信システム８５０から変調信号は、そのあとで、受信機システム８５０によって報告されたＣＳＩを回復する(recover)ために、アンテナ８２４によって受信され、受信機８２２によってコンディションされ、デモジュレータ８４０によって復調され、ＲＸデータプロセッサ８４２によって処理されることができる。一例において、報告されたＣＳＩは、そのあとで、プロセッサ８３０に提供され、また、１つまたは複数のデータストリームについて使用されるべきコード化および変調スキームに加えて、データレートを決定するために使用されることができる。決定されたコード化および変調スキームは、そのあとで、受信機システム８５０に対する後の伝送(later transmissions)における使用および／または量子化、のために、送信機８２２に対して提供されることができる。さらにおよび/または代替的に、報告されたＣＳＩは、ＴＸデータプロセッサ８１４およびＴＸ ＭＩＭＯプロセッサ８２０についての様々な制御を生成するために、プロセッサ８３０によって使用されることができる。別の例において、ＣＳＩおよび／またはＲＸデータプロセッサ８４２によって処理された他の情報は、データシンク８４４に提供されることができる。
【００９２】
一例において、送信機システム８１０におけるプロセッサ８３０、および受信機システム８５０におけるプロセッサ８７０は、それぞれのシステムにおいて、オペレーションを指示する。さらに、送信機システム８１０におけるメモリ８３２、および受信機システム８５０におけるメモリ８７２は、それぞれ、プロセッサ８３０および８７０によって、使用されるデータおよびプログラムコードについてのストレージを提供することができる。さらに、受信機システム８５０では、様々な処理技術が、ＮＴ送信されたシンボルストリームを検出するためにＮＲ受信された信号を処理することに使用されることができる。これらの受信機処理技術は、空間および時空受信機処理技術(spatial and space-time receiver processing techniques)を含むことができ、それは、等化技術(equalization techniques)とも呼ばれることができ、および／または、「連続ゼロ化／等化および干渉取り消し」受信機処理技術("successive nulling/equalization and interference cancellation" receiver processing techniques)を含むことができ、それは、「連続干渉取り消し(successive interference cancellation)」あるいは「連続取り消し(successive cancellation)」受信機処理技術、とも呼ばれることができる。
【００９３】
図９は、様々な態様にしたがった無線通信システムにおける逆方向リンクパワー制御を容易にするシステム９００のブロック図である。一例において、システム９００は、アクセス端末９０２を含んでいる。図示されているように、アクセス端末９０２は、１つまたは複数のアクセスポイント９０４から信号（単数または複数）を受信し、また、アンテナ９０８を介して、１つまたは複数のアクセスポイント９０４に送信することができる。さらに、アクセス端末９０２は、アンテナ９０８からの情報を受信する受信機９１０を備えることができる。一例において、受信機９１０は、受信された情報を復調するデモジュレータ（Ｄｅｍｏｄ）９１２に、動作可能なように(operatively)関連づけられることができる。復調されたシンボルは、そのあとで、プロセッサ９１４によって分析されることができる。プロセッサ９１４は、メモリ９１６に結合されることができ、それは、アクセス端末９０２に関連するプログラムコードおよび／またはデータを保存することができる。さらに、アクセス端末９０２は、方法５００、６００および／または他の適切な方法を実行するために、プロセッサ９１４を使用することができる。アクセス端末９０２は、また、１つまたは複数のアクセスポイント９０４に対して、アンテナ９０８を介して送信機９２０によって伝送のための信号を多重化することができるモジュレータ９１８を含むことができる。
【００９４】
図１０は、ここに説明された様々な態様にしたがって無線通信システムにおける逆方向リンクパワー制御および干渉管理を調節するシステム１０００のブロック図である。一例において、システム１０００は、基地局あるいはアクセスポイント１００２を含んでいる。図示されているように、アクセスポイント１００２は、受信（Ｒｘ）アンテナ１００６を介して、１つまたは複数のアクセス端末１００４から信号（単数または複数）を受信し、また、送信（Ｔｘ）アンテナ１００８を介して、１つまたは複数のアクセス端末１００４に対して送信することができる。
【００９５】
さらに、アクセスポイント１００２は、受信アンテナ１００６から情報を受信する受信機１０１０を備えることができる。一例において、受信機１０１０は、受信された情報を復調するデモジュレータ（Ｄｅｍｏｄ）１０１２に動作可能なように(operatively)関連づけられることができる。復調されたシンボルは、そのあとで、プロセッサ１０１４によって分析されることができる。プロセッサ１０１４は、メモリ１０１６に結合されることができ、それは、コードクラスタ(code clusters)、アクセス端末割り当て、それに関連したルックアップテーブル、独自のスクランブリングシーケンス(unique scrambling sequences)、および／または、他の適切なタイプの情報に関する、情報を保存することができる。一例において、アクセスポイント１００２は、方法７００および／または他の適切な方法を実行するために、プロセッサ１０１４を使用することができる。アクセスポイント１００２は、１つまたは複数のアクセス端末１００４に対して、送信アンテナ１００８を通じて、送信機１０２０による伝送についての信号を多重化できるモジュレータ１０１８を含むことができる。
【００９６】
図１１は、無線通信システム（例えばシステム２００）における、初期の伝送リソース調節(initial transmission resource adjustments)を容易にする装置１１００を図示する。装置１１００は、機能ブロックを含むものとして表わされているということが認識されるべきであり、それは、プロセッサ、ソフトウェア、あるいはそれらの組み合わせ（例、ファームウェア）によってインプリメントされる機能を表わす機能ブロックであってもよい。装置１１００は、端末（例、端末２１０）および／または別の適切なネットワークエンティティにおいてインプリメントされることができ、また、サービングセクタに対して逆方向リンク伝送を行なうためのモジュール１１０２、を含むことができる。さらに、装置１１００は、伝送がタイミングスレッシュホールド外で生じるかどうかを決定するためのモジュール１１０４、を含むことができる。装置は、また、肯定的な決定の際に、開ループデルタ値、割り当てられた帯域幅に基づいたオープンデルタ値、および／または、デルタ値に基づいた帯域幅、をコンピュートするためのモジュール１１０６、も含むことができる。さらに、装置１１００は、肯定的な決定の際に、コンピュートされた値に、伝送パワーおよび／または帯域幅を調節するためのモジュール１１０８、を含むことができる。
【００９７】
図１２は、無線通信システムにおける干渉制御についての逆方向リンク伝送リソースを調節することを容易にする装置１２００を図示する。装置１２００は、機能ブロックを含むものとして表わされているということが認識されるべきであり、それは、プロセッサ、ソフトウェア、あるいはそれらの組み合わせ（例、ファームウェア）によってインプリメントされる機能を表わす機能ブロックであってもよい。装置１２００は、端末および／または別の適切なネットワークエンティティにおいてインプリメントされることができ、また、サービングセクタに対して逆方向リンク伝送を行なうためのモジュール１２０２、を含むことができる。さらに、装置１２００は、ＯＳＩ表示が受信されたかどうかを決定するためのモジュール１２０４、そして、決定に少なくとも部分的に基づいた帯域幅および／または伝送パワーを調節するためのモジュール１２０６、を含むことができる。
【００９８】
図１３は、無線通信システムにおける逆方向リンクパワー制御および干渉管理を容易にする装置１３００を図示する。装置１３００は、機能ブロックを含むものとして表わされているということが認識されるべきであり、それは、プロセッサ、ソフトウェア、あるいはそれらの組み合わせ（例、ファームウェア）によってインプリメントされる機能を表わす機能ブロックであってもよい。装置１３００は、アクセスポイント（例、基地局２２０）および／または無線通信システムにおける別の適切なネットワークエンティティにおいて、インプリメントされることができ、また、端末からリクエストおよび／またはパワー制御フィードバックを受信するためのモジュール１３０２、を含むことができる。さらに、装置１３００は、端末によって引き起こされたＯＳＩアクティビティの報告を受信するためのモジュール１３０４、受信された情報に基づいて端末との通信のためのリソースを割り当てるためのモジュール１３０６、そして、端末に対して割り当てられた通信リソースを通信するためのモジュール１３０８、を含むことができる。
【００９９】
ここに説明されている実施形態はハードウェア、ソフトウェア、ファームウェア、ミドルウェア、マイクロコード(microcode)、あるいはそれらのいずれの組み合わせによってインプリメントされることができる、ということが理解されるべきである。システムおよび／または方法が、ソフトウェア、ファームウェア、ミドルウェアあるいはマイクロコード、プログラムコードあるいはコードセグメント(code segment)においてインプリメントされるとき、それらは、ストレージコンポーネントのようなマシン可読メディア(machine-readable medium)において保存されることが出来る。コードセグメントは、プロシージャ(procedure)、ファンクション(function)、サブプログラム、プログラム、ルーティン、サブルーティン、モジュール、ソフトウェアパッケージ、クラス、あるいはいずれのインストラクションの組み合わせ、データストラクチャあるいはプログラム文を表すことが出来る。コードセグメントは、情報、データ、アーギュメント(arguments)、パラメータあるいはメモリコンテンツを受け渡しすること、および／または受信することによって、別のコードセグメントあるいはハードウェア回路に結合されることが出来る。情報、アーギュメント、パラメータ、データなどは、メモリの共有、メッセージの受け渡し、トークンパッシング(token passing)、ネットワーク伝送などを含んでいる、いずれの適切な手段を使用して、受け渡され、転送され、あるいは送信されることが出来る。
【０１００】
ソフトウェアインプリメンテーションの場合、ここに説明された技術は、ここに説明された機能を実行するモジュール（例、プロシージャ、機能、など）でインプリメントされることが出来る。ソフトウェアコードは、メモリユニットに保存され、プロセッサによって実行されることが出来る。メモリユニットは、プロセッサ内で、あるいはプロセッサ外で、インプリメントされることが出来、この場合には、それは、当技術分野において知られている様々な手段を介してプロセッサに通信的に結合されることが出来る。
【０１０１】
上記で説明されてきたものは、１つまたは複数の実施形態を含んでいる。前述の実施形態を説明する目的のためにすべての考えられるだけのコンポーネントあるいは方法の組み合わせを記述することは、もちろん、可能ではないが、当業者は、様々な実施形態の多くのさらなる組み合わせと並び替えが可能であるということを認識することが出来る。したがって、説明された実施形態は、添付された特許請求の範囲の精神および範囲の中に入る、すべてのそのような変更、修正、および変形を包含するように意図されている。さらに、用語「含む(includes)」が詳細な説明あるいは特許請求の範囲のいずれかにおいて使用されている限りにおいて、そのような用語は、用語「備えている(comprising)」がトランジショナルワード(transitional word)として請求項において使用されるときに解釈されるように、用語「備えている(comprising)」と同様な方法で包括的であるように意図されている。さらに、詳細な説明あるいは特許請求の範囲のいずれかにおいて使用される、用語「あるいは(or)」は、「非排他的に、または(non-exclusive or)」であることを意味している。
【図１】
2010503341.tif 000006
【図２Ａ】
2010503341.tif 000007
【図２Ｂ】
2010503341.tif 000008
【図３Ａ】
2010503341.tif 000009
【図３Ｂ】
2010503341.tif 000010
【図４】
2010503341.tif 000011
【図５】
2010503341.tif 000012
【図６】
2010503341.tif 000013
【図７】
2010503341.tif 000014
【図８】
2010503341.tif 000015
【図９】
2010503341.tif 000016
【図１０】
2010503341.tif 000017
【図１１】
2010503341.tif 000018
【図１２】
2010503341.tif 000019
【図１３】
2010503341.tif 000020
【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
無線通信システムにおけるパワー制御のための方法であって、
あらかじめ決定されたスレッシュホールドの前に、前の伝送が生じたかどうか決定することと、
開ループデルタ値、割り当てられた帯域幅に基づいた開ループデルタ値、および、デルタ値に基づいた帯域幅、のうちの１つまたは複数をコンピュートすることと、
前記のコンピュートされた値に少なくとも部分的に基づいて、今後の伝送に使用される予定である１つまたは複数のパラメータを調節することと、
を備えている方法。
【請求項２】
前記のスレッシュホールドは、いくつかのフレーム、いくつかのスーパーフレーム、および、時間の期間、から成るグループ、から選択された少なくとも１つのパラメータに基づいている、請求項１に記載の方法。
【請求項３】
前記の今後の伝送に使用される予定である１つまたは複数のパラメータを調節することは、今後の伝送に使用される予定である伝送パワーオフセットを調節することを含んでいる、請求項１に記載の方法。
【請求項４】
前記の今後の伝送に使用される予定である１つまたは複数のパラメータを調節することは、今後の伝送に利用される帯域幅を調節することを含んでいる、請求項１に記載の方法。
【請求項５】
前記の今後の伝送に使用される予定である１つまたは複数のパラメータを調節することは、
コンピュートされた開ループデルタ値の機能として、パワースペクトル密度（ＰＳＤ）を調節することと、
前記の調節されたＰＳＤに基づいて、今後の伝送に使用される予定である伝送パワーを調節することと、
を含んでいる、
請求項１に記載の方法。
【請求項６】
前記の今後の伝送に使用される予定である１つまたは複数のパラメータを調節することは、
前記前の伝送に対応する他のセクタ干渉（ＯＳＩ）表示が受信されたかどうかを決定することと、
ＯＳＩ表示が受信されたかどうかに少なくとも部分的に基づいて、今後の伝送に使用される予定である１つまたは複数のパラメータを調節することと、
を含んでいる、
請求項１に記載の方法。
【請求項７】
前記の今後の伝送に使用される予定である１つまたは複数のパラメータを調節することは、
前記前の伝送に対応するＯＳＩ表示が受信されたということを決定することと、
ＯＳＩ表示を引き起こした、あらかじめ決定された時間の期間内で使用される最小の伝送パワーを選択することと、
前記の選択された伝送パワーからデルタ値を引いたものに、今後の伝送に使用される予定である伝送パワーを調節することと、
を含んでいる、
請求項６に記載の方法。
【請求項８】
前記の今後の伝送に使用される予定である１つまたは複数のパラメータを調節することは、
前記前の伝送に対応するＯＳＩ表示が受信されていないということを決定することと、
ＯＳＩ表示を引き起こさなかった、あらかじめ決定された時間の期間内で使用される最大の伝送パワーを選択することと、
前記の選択された伝送パワーからデルタ値を足したものに、今後の伝送に使用される予定である伝送パワーを調節することと、
を含んでいる、
請求項６に記載の方法。
【請求項９】
前記の今後の伝送に使用される予定である１つまたは複数のパラメータを調節することは、
アクセスポイントから、前記今後の伝送に使用される予定である１つまたは複数のパラメータについての割り当てを受信することと、
前記割り当てに基づいて、前記１つまたは複数のパラメータを調節することと、
を含んでいる、
請求項１に記載の方法。
【請求項１０】
アクセスポイントに対して、前記の調節されたパラメータと前記のコンピュートされた値のうちの１つまたは複数を通信すること、をさらに備えている請求項１に記載の方法。
【請求項１１】
スレッシュホールドと前の伝送が行なわれた時間に関するデータを保存するメモリと、
前記前の伝送が前記スレッシュホールドよりも早く生じたかどうかを決定するように、そして、肯定的な決定の際には、開ループデルタ値、割り当てられた帯域幅に基づいたオープンデルタ値、デルタ値に基づいた帯域幅、のうちの１つまたは複数をコンピュートするように、そして、前記のコンピュートされた値に基づいて、伝送に使用される予定であるパラメータを調節するように、構成されたプロセッサと、
を備えている無線通信装置。
【請求項１２】
前記スレッシュホールドは、いくつかのフレーム、いくつかのスーパーフレーム、および時間期間、のうちの少なくとも１つに基づいている、請求項１１に記載の無線通信装置。
【請求項１３】
前記プロセッサは、前記のコンピュートされた値に基づいて、伝送に使用される予定である伝送パワーオフセットを調節するように、さらに構成されている、請求項１１に記載の無線通信装置。
【請求項１４】
前記プロセッサは、前記のコンピュートされた値に基づいて、伝送に利用される帯域幅を調節するように、さらに構成されている、請求項１１に記載の無線通信装置。
【請求項１５】
前記メモリは、伝送に使用される予定であるパラメータについての割り当てに関するデータをさらに保存しており、前記プロセッサは、前記割り当てに基づいて、前記パラメータを調節するようにさらに構成されている、請求項１１に記載の無線通信装置。
【請求項１６】
前記プロセッサは、伝送に使用される予定であるパラメータについての前記割り当てがコンピュートされた開ループ値に適合するかどうかを決定するように、さらに構成されている、請求項１５に記載の無線通信装置。
【請求項１７】
前記プロセッサは、前記割り当てが前記コンピュートされた開ループ値に適合しない場合には、伝送をサスペンドするように、あるいは、新しい開ループ値をコンピュートするように、さらに構成されている、請求項１６に記載の無線通信装置。
【請求項１８】
前記プロセッサは、アクセスポイントに対して、伝送についての前記の調節されたパラメータとコンピュートされた開ループ値のうちの１つまたは複数を通信するように、さらに構成されている、請求項１１に記載の無線通信装置。
【請求項１９】
無線通信システムにおける逆方向リンクパワー制御を容易にする装置であって、
逆方向リンク上でサービングセクタに対する伝送を行なうための手段と、
前記伝送がタイミングスレッシュホールド外で生じたかどうかを決定するための手段と、
肯定的な決定の際には、開ループデルタ値、開ループデルタ値、あるいは、デルタ値に基づいた帯域幅、をコンピュートするための手段と、
前記のコンピュートされた値に基づいて、前記サービングセクタに対する伝送を行なうために利用されるパラメータを調節するための手段と、
を備えている装置。
【請求項２０】
前記の調節するための手段は、前記サービングセクタに対する伝送を行なうために利用された帯域幅と伝送パワーオフセットのうちの１つまたは複数を調節するための手段を含んでいる、請求項１９に記載の装置。
【請求項２１】
前記の調節するための手段は、
前記のコンピュートされた値に基づいて、ＰＳＤを調節するための手段と、
前記の調節されたＰＳＤに基づいて、前記サービングセクタに対する伝送を行なうために利用された伝送パワーを調節するための手段と、
を含んでいる、
請求項１９に記載の装置。
【請求項２２】
前記の調節するための手段は、
前記サービングセクタから割り当てられたパラメータを受信するための手段と、
前記割り当てられたパラメータに基づいて、前記サービングセクタとの通信に利用されたパラメータを調節するための手段と、
を含んでいる、
請求項１９に記載の装置。
【請求項２３】
前記サービングセクタに対して、前記の調節されたパラメータと前記コンピュートされた値のうちの１つまたは複数を通信するための手段、をさらに備えている請求項１９に記載の装置。
【請求項２４】
あらかじめ決定されたタイミングスレッシュホールドの後で基地局に対する逆方向リンク伝送を、コンピュータに行なわせるためのコードと、
１つまたは複数の開ループデルタベースのパラメータを、コンピュータにコンピュートさせるためのコードと、
前記のコンピュートされた開ループデルタベースのパラメータに少なくとも部分的に基づいて、前記基地局に対する今後の伝送に使用される伝送パワーと帯域幅のうちの１つまたは複数を、コンピュータに調節させるためのコードと、
を備えているコンピュータ可読メディア。
【請求項２５】
前記コンピュータにコンピュートさせるためのコードは、開ループデルタ値、割り当てられた帯域幅に基づいた開ループデルタ値、およびデルタ値に基づいた帯域幅、のうちの１つまたは複数を、コンピュータにコンピュートさせるためのコードを含んでいる、請求項２４に記載のコンピュータ可読メディア。
【請求項２６】
前記のタイミングスレッシュホールドは、いくつかのフレーム、いくつかのスーパーフレーム、および、時間期間、から成るグループ、から選択された少なくとも１つのパラメータに対応している、請求項２４に記載のコンピュータ可読メディア。
【請求項２７】
前記コンピュータに調節させるためのコードは、
前記逆方向リンクに対応する他のセクタ干渉（ＯＳＩ）表示が受信されたどうかを、コンピュータに決定させるためのコードと、
前記の決定に少なくとも部分的に基づいて、前記基地局に対する今後の伝送に使用される前記伝送パワーと前記帯域幅のうちの１つまたは複数を、コンピュータに調節させるためのコードと、
を含んでいる、
請求項２４に記載のコンピュータ可読メディア。
【請求項２８】
前記基地局に対して、前記のコンピュートされた開ループデルタベースのパラメータ、調節された帯域幅、および、調節された伝送パワー、のうちの少なくとも１つを、コンピュータに通信させるためのコード、をさらに備えている請求項２４に記載のコンピュータ可読メディア。
【請求項２９】
無線通信システムにおける干渉管理および逆方向リンクパワー制御についてのコンピュータ実行可能インストラクションを実行する集積回路であって、
前記のインストラクションは、
サービングセクタに対して、逆方向リンク伝送を行なうことと、
前記逆方向リンク伝送に対応するＯＳＩ表示が受信されたかどうかを決定することと、
ＯＳＩ表示が受信されたかどうかに少なくとも部分的に基づいて、今後の逆方向リンク伝送に使用される予定である１つまたは複数のパラメータを調節することと、
を備えている、
集積回路。
【請求項３０】
前記調節することは、今後の逆方向リンク伝送に使用される予定である帯域幅と伝送パワーのうちの少なくとも１つまたは複数を調節することを含んでいる、請求項２９に記載の集積回路。
【請求項３１】
前記決定することは、前の伝送に対応するＯＳＩ表示が受信されたということを決定することを含んでおり、
前記調節することは、
ＯＳＩ表示を引き起こしたあらかじめ決定された時間の期間内で使用された最小の伝送パワーを選択することと、
前記の選択されたパワーからデルタ値を引いたものに、今後の逆方向リンク伝送に使用される予定である伝送パワーを調節することと、
を含んでいる、
請求項２９に記載の集積回路。
【請求項３２】
前記決定することは、前の伝送に対応するＯＳＩ表示は受信されていないということを決定することを含んでおり、前記調節することは、
ＯＳＩ表示を引き起こさなかったあらかじめ決定された時間の期間内で使用された最大の伝送パワーを選択することと、
前記の選択されたパワーにデルタ値を足したものに、今後の逆方向リンク伝送に使用される予定である伝送パワーを調節することと、
を含んでいる、
請求項２９に記載の集積回路。
【請求項３３】
無線通信システムにおいて逆方向リンクパワー制御を行なうための方法であって、
端末から、通信リクエストおよびパワー制御フィードバック情報のうちの１つまたは複数を受信することと、
前記端末によって引き起こされたＯＳＩアクティビティの報告を受信することと、
前記の受信された情報と前記の受信されたＯＳＩアクティビティの報告に基づいて、前記端末による通信に使用される予定であるパラメータを割り当てることと、
を備えている、
方法。
【請求項３４】
前記ＯＳＩアクティビティの報告を受信することは、前記端末から前記ＯＳＩアクティビティの報告を受信することを含んでいる、請求項３３に記載の方法。
【請求項３５】
前記ＯＳＩアクティビティの報告を受信することは、隣接のセクタから前記ＯＳＩのアクティビティの報告を受信することを含んでいる、請求項３３に記載の方法。
【請求項３６】
前記ＯＳＩアクティビティの報告を受信することは、前記端末によって引き起こされたＯＳＩアクティビティを示すパワーメトリックを受信することを含んでいる、請求項３３に記載の方法。
【請求項３７】
前記割り当てることは、前記端末による通信に使用される予定である帯域幅と伝送パワーのうちの１つまたは複数を割り当てることを含んでいる、請求項３３に記載の方法。
【請求項３８】
前記端末に対して、前記の割り当てられたパラメータを通信すること、をさらに備えている請求項３３に記載の方法。
【請求項３９】
アクセス端末によって引き起こされたＯＳＩアクティビティの報告と、前記アクセス端末から受信されたパワー制御フィードバック情報と、に関するデータを保存するメモリと、
前記のパワー制御フィードバックと前記ＯＳＩアクティビティの報告のうちの少なくとも１つに基づいて、伝送リソースについての割り当てを生成するように、また、前記アクセス端末に対して前記割り当てを通信するように、構成されたプロセッサと、
を備えている無線通信装置。
【請求項４０】
伝送リソースについての前記割り当ては、帯域幅と伝送パワーのうちの１つまたは複数についての割り当てを含んでいる、請求項３９に記載の無線通信装置。
【請求項４１】
無線通信システムにおける干渉管理および逆方向リンクパワー制御を容易にする装置であって、
無線端末に対応するＯＳＩ情報とパワー制御情報を受信するための手段と、
前記の受信された情報に少なくとも部分的に基づいて、前記無線端末に、帯域幅と伝送パワーのうちの１つまたは複数を割り当てるための手段と、
前記無線端末に対して、割り当てられた伝送パワーあるいは割り当てられた帯域幅を通信するための手段と、
を備えている装置。
【請求項４２】
アクセス端末によって引き起こされたＯＳＩアクティビティの報告を、コンピュータに受信させるためのコードと、
前記の受信された報告に少なくとも部分的に基づいて、前記端末によって利用される予定である帯域幅あるいは伝送パワーのうちの１つまたは複数についての割り当てを、コンピュータに生成させるためのコードと、
前記端末に対して、前記割り当てを、コンピュータに通信させるためのコードと、
を備えているコンピュータ可読メディア。
【請求項４３】
前記コンピュータに受信させるためのコードは、前記端末から前記ＯＳＩアクティビティの報告をコンピュータに受信させるためのコードを含んでいる、請求項４２に記載のコンピュータ可読メディア。
【請求項４４】
前記コンピュータに受信させるためのコードは、隣接のアクセスポイントから前記ＯＳＩアクティビティの報告をコンピュータに受信させるためのコードを含んでいる、請求項４２に記載のコンピュータ可読メディア。
【請求項４５】
前記コンピュータに受信させるためのコードは、前記端末によって引き起こされたＯＳＩアクティビティを示すパワーメトリックをコンピュータに受信させるためのコードを含んでいる、請求項４２に記載のコンピュータ可読メディア。
【請求項４６】
無線通信システムにおける逆方向リンクパワーおよび干渉制御についてのコンピュータ実行可能なインストラクションを実行する集積回路であって、
前記のインストラクションは、
端末からフィードバックを受信することと、なお、前記フィードバックは、前記端末によって受信されたＯＳＩ表示の報告を備えている；
前記の受信されたフィードバックに基づいて、前記端末に伝送リソースを割り当てることと；
前記端末に対して、前記の割り当てられた伝送リソースを通信することと；
を備えている、
集積回路。
【国際調査報告】
2010503341.tif 000021
2010503341.tif 000022
2010503341.tif 000023
2010503341.tif 000024
2010503341.tif 000025